(57)【要約】【課題】ユーザが指示しやすい表示装置を提供すること。【解決手段】開示の技術の一態様に係る表示装置は、表示面と、複数のデータ入力部と、前記複数のデータ入力部のうち、データが入力された前記データ入力部を検出する入力検出部と、前記入力検出部の検出結果に応じた位置に、ユーザの指示を受け付ける指示受付部を配置した指示受付画像を生成する指示受付画像生成部と、前記指示受付画像を表示する画像表示部と、を備える。【選択図】図１１
2020154660.tif 000002
【特許請求の範囲】
【請求項１】
表示面と、
複数のデータ入力部と、
前記複数のデータ入力部のうち、データが入力された前記データ入力部を検出する入力検出部と、
前記入力検出部の検出結果に応じた位置に、ユーザの指示を受け付ける指示受付部を配置した指示受付画像を生成する指示受付画像生成部と、
前記指示受付画像を表示する画像表示部と、を備える
表示装置。
【請求項２】
前記表示面は、前記表示面上で接触された位置を検出する
請求項１に記載の表示装置。
【請求項３】
前記データ入力部は、前記表示面の左右の両側に設けられている
請求項１、又は２に記載の表示装置。
【請求項４】
前記入力検出部は、データが入力された前記データ入力部の識別情報を出力する
請求項１乃至３の何れか１項に記載の表示装置。
【請求項５】
前記指示受付画像生成部は、
前記入力検出部が複数の前記データ入力部にデータが入力されたことを検出した場合に、予め定められた前記識別情報の優先順位に従って、前記指示受付画像を生成する
請求項１乃至４の何れか1項に記載の表示装置。
【請求項６】
前記データ入力部のうちの一方からデータが入力された場合は、前記表示面における前記一方のデータ入力部側に、前記指示受付部を表示し、
前記データ入力部のうちの他方からデータが入力された場合は、前記表示面上で、前記他方のデータ入力部側に、前記指示受付部を表示する
請求項１乃至５の何れか１項に記載の表示装置。
【請求項７】
前記表示面の左右の両方からデータが入力された場合は、前記表示面における前記両方のデータ入力部側に、前記指示受付部を表示する
請求項１乃至５の何れか１項に記載の表示装置。
【請求項８】
前記指示受付部は、外部機器から前記表示装置に前記データを入力する指示と、前記表示面に表示された画面データを前記表示装置に保存する指示の少なくとも何れか一つを受け付ける
請求項６、又は７に記載の表示装置。
【請求項９】
前記一方のデータ入力部と前記他方のデータ入力部は、何れも無線方式、又は有線方式でデータを入力する
請求項６乃至８の何れか１項に記載の表示装置。
【請求項１０】
前記一方のデータ入力部は、有線方式でデータを入力し、
前記他方のデータ入力部は、無線方式でデータを入力する
請求項６乃至９の何れか１項に記載の表示装置。
【請求項１１】
前記表示装置は、前記表示面に複数の指示受付部を表示し、
前記複数の指示受付部は、前記複数の指示受付部のうち、一部の前記指示受付部の前記表示面における表示と非表示を切り替える指示を受け付ける切替指示受付部を含む
請求項６乃至１０の何れか１項に記載の表示装置。
【請求項１２】
前記指示受付部は、指示体を介して前記ユーザの指示を受け付ける
請求項６乃至１１の何れか１項に記載の表示装置。
【請求項１３】
前記データ入力部は、前記外部機器から映像信号を入力する
請求項１乃至１２の何れか１項に記載の表示装置。
【請求項１４】
前記データ入力部は、前記外部機器から予め定められた所定の種類のファイルを入力する
請求項１乃至１２の何れか１項に記載の表示装置。
【請求項１５】
前記データ入力部は、前記外部機器からユーザが指定するファイルを入力する
請求項１乃至１２の何れか１項に記載の表示装置。
【請求項１６】
表示面と、
複数のデータ入力部と、を備えた表示装置による表示方法であって、
前記複数のデータ入力部のうち、データが入力された前記データ入力部を検出する入力検出工程と、
前記入力検出工程の検出結果に応じた位置に、ユーザの指示を受け付ける指示受付部を配置した指示受付画像を生成する指示受付画像生成工程と、
前記指示受付画像を表示する画像表示工程と、を含む
表示方法。
【発明の詳細な説明】
【技術分野】
【０００１】
本発明は、表示装置、及び表示方法に関する。
【背景技術】
【０００２】
フラットパネルディスプレイにタッチパネルが搭載された電子黒板等の表示装置が知られている。表示装置は、電子ペンや指等の指示体が表示面に接触した座標をタッチパネルで検出し、座標の軌跡を手書き内容として画面に描画する。したがって、ユーザは画面を黒板のように使用することができる。
【０００３】
また、ＰＣ（Personal Computer）と接続することができる表示装置では、ＰＣと同じ画面をディスプレイに表示して手書き内容を重畳して描画することができる。
【０００４】
このような表示装置として、ユーザからの指示を受け付けるための「切り出し」「文書読込」「終了」等の指示受付部を、ディスプレイの表示面に表示させるものが開示されている（例えば、特許文献１参照）。
【発明の概要】
【発明が解決しようとする課題】
【０００５】
しかしながら、特許文献１の装置では、各指示受付部が表示装置に向かって右側に表示されている。そのため、ユーザが表示装置に向かって左側に立ち、各指示受付部にタッチする等して表示装置に指示しようとすると、右側に表示された指示受付部の位置まで距離があるため、指示をしにくくなる場合がある。
【０００６】
指示受付部の表示位置をユーザ設定で変更できる表示装置も知られているが、ユーザに設定変更作業の手間をかけさせる場合があり、また、ユーザによっては、指示受付部の表示位置設定の変更方法が分からない場合もある。
【０００７】
本発明は、上述した点に鑑みてなされたものであって、ユーザが指示しやすい表示装置を提供することを課題とする。
【課題を解決するための手段】
【０００８】
開示の技術の一態様に係る表示装置は、表示面と、複数のデータ入力部と、前記複数のデータ入力部のうち、データが入力された前記データ入力部を検出する入力検出部と、前記入力検出部の検出結果に応じた位置に、ユーザの指示を受け付ける指示受付部を配置した指示受付画像を生成する指示受付画像生成部と、前記指示受付画像を表示する画像表示部と、を備える。
【発明の効果】
【０００９】
本発明によれば、ユーザが指示しやすい表示装置を提供することができる。
【図面の簡単な説明】
【００１０】
【図１】実施形態に係る表示システムの全体構成の一例を説明する図である。
【図２】実施形態に係る電子黒板のハードウェア構成の一例を説明するブロック図である。
【図３Ａ】実施形態に係る電子黒板の機能構成の一例を説明するブロック図である。
【図３Ｂ】ＵＩ画像生成部がＵＩ画像の生成時に参照するテーブルの一例を示す図であり、（ａ）は、識別情報に優先順位がない場合を示す図、（ｂ）は識別情報に優先順位がある場合を示す図である。
【図４】実施形態に係るファイル処理部の機能構成の一例を説明するブロック図である。
【図５】実施形態に係るサーバ部とクライアント部の機能構成の一例を説明するブロック図である。
【図６】各画像レイヤの構成の一例を説明する図である。
【図７】各電子黒板の処理の一例を示すシーケンス図である。
【図８Ａ】各電子黒板の処理の一例を示すシーケンス図である。
【図８Ｂ】実施形態に係る電子黒板が外部機器からデータを入力し、ＵＩ画像を表示面に表示させる処理の一例を示すフローチャートである。
【図９】電子黒板の右側に外部機器が接続された場合の重畳画像の一例を説明する図である。
【図１０】出力画像が静止画として電子黒板に保存された場合の重畳画像の一例を説明する図である。
【図１１】第１の実施形態に係る電子黒板の動作の一例を説明する図（その１）である。
【図１２】第１の実施形態に係る電子黒板の動作の一例を説明する図（その２）である。
【図１３】第２の実施形態に係る電子黒板の動作の一例を説明する図であり、（ａ）はＵＩを表示した場合の電子黒板を示す図、（ｂ）はＵＩを非表示にした場合の電子黒板を示す図である。
【発明を実施するための形態】
【００１１】
以下、図面を参照して発明を実施するための形態について説明する。各図面において、同一の構成部分には同一符号を付し、重複した説明を省略する場合がある。
【００１２】
＜用語について＞
特許請求の範囲の表示装置は画像を表示する装置である。電子黒板は表示装置の一例である。実施形態では、表示装置を電子黒板という用語で説明する。
【００１３】
表示面は、ディスプレイ等の画像を表示する手段における画像が表示される面をいう。
【００１４】
データ入力部は、電子黒板に外部機器からデータを入力する手段である。実施形態では、データ入力部は、電子黒板の表示面の両側に設けられている。
【００１５】
指示受付部の一例としてのＵＩ（User Interface）は、電子黒板に対するユーザの指示を受け付ける手段である。
【００１６】
外部機器は、電子黒板に対し外部の機器であり、ケーブル、ネットワーク、又はデータ入力部を介して接続できる機器を言う。例えば、ノートＰＣ(Personal Computer)及びこれと同等の機器が外部機器の一例である。また、可搬性の記憶媒体も外部機器に該当する。
【００１７】
識別情報は、ＵＳＢポート、有線ポート、及びアンテナ等のデータ入力部のそれぞれに付与され、複数のデータ入力部を識別するための情報をいう。なお、接触センサがセンサコントローラに出力する赤外線のＩＤ(Identification)は、単にＩＤと称し、上記のデータ入力部の識別情報とは区別して用いる。
【００１８】
以下に示す実施形態では、電子黒板を備えた表示システムを一例として説明する。
【００１９】
＜実施形態に係る表示システムの構成＞
図１は、実施形態に係る表示システムの構成の一例を説明する図である。なお、図１では、説明を簡略化するために、２台の電子黒板２ａ，２ｂ及びこれに付随する電子ペン４ａ，４ｂ等を示しているだけであって、３台以上の電子黒板２や電子ペン等を利用してもよい。
【００２０】
図１に示されているように、表示システム１は、複数の電子黒板２ａ，２ｂ、複数の電子ペン４ａ，４ｂ、ＵＳＢ（Universal Serial Bus）メモリ５ａ，５ｂ、ノートＰＣ６ａ，６ｂ、テレビ（ビデオ）会議端末７ａ，７ｂ、及びＰＣ８を有する。また、電子黒板２ａ，２ｂ、及びＰＣ８は、通信ネットワーク９を介して通信可能に接続されている。更に、複数の電子黒板２ａ，２ｂには、ディスプレイ３ａ，３ｂが設けられている。ディスプレイ３ａには表示面３０１ａが含まれ、ディスプレイ３ｂには表示面３０１ｂが含まれている。
【００２１】
また、電子黒板２ａには、電子ペン４ａによって生じたイベント（ディスプレイ３ａに電子ペン４ａのペン先、又は、電子ペン４ａのペン尻のタッチ）による描画された画像を、ディスプレイ３ａに表示させることができる。なお、電子ペン４ａだけでなく、ユーザの手Ｈａ等によって生じたイベント（拡大、縮小、ページめくり等のジェスチャ）に基づいて、ディスプレイ３ａの表示面上に表示されている画像を変更させることもできる。電子ペン４ａ及びユーザの手Ｈａは、それぞれ「指示体」の一例である。
【００２２】
また、電子黒板２ａの両側には、ＵＳＢメモリ５ａが接続可能なＵＳＢポートが少なくとも一つずつ設けられている。電子黒板２ａは、ＵＳＢメモリ５ａからＰＤＦ等の電子ファイルを読み出したり、ＵＳＢメモリ５ａに電子ファイルを記録したりすることができる。
【００２３】
また、電子黒板２ａは、ＤｉｓｐｌａｙＰｏｒｔ（登録商標）、ＤＶＩ(Digital Visual Interface)、ＨＤＭＩ(登録商標。High-Definition Multimedia Interface)及びＶＧＡ(Video Graphics Array)等の規格による通信が可能な有線方式のデータ入力部を備えている。有線方式のデータ入力部は、電子黒板２ａの両側、又は何れか一方側に設けられている。図１では、この有線方式のデータ入力部に、ケーブル１０ａ１を介して、ノートＰＣ６ａが接続されている。
【００２４】
ここで、電子黒板２ａの両側とは、水平方向における左右の両側をいい、電子黒板２ａの何れか一方側とは、水平方向における何れか一方側をいう。また、表示面３０１ａは電子黒板２ａの水平方向における中央に位置するため、電子黒板２ａの両側は表示面３０１ａの両側の一例であり、電子黒板２ａの何れか一方側は表示面３０１ａの何れか一方側の一例である。
【００２５】
電子黒板２ａは、ディスプレイ３ａに対する接触によってイベントを発生させ、このイベントを示すイベント情報を、マウスやキーボード等の入力装置からのイベントと同様に、ノートＰＣ６ａに送信することができる。
【００２６】
電子黒板２ａには、上記規格による通信が可能なケーブル１０ａ２を介して、テレビ（ビデオ）会議端末７ａが接続されている。また、電子黒板２ａは、赤外線、Ｂｌｕｅｔｏｏｔｈ（登録商標）等の各種無線通信プロトコルに準拠した無線通信が可能な無線方式のデータ入力部を電子黒板２ａの両側、又は有線方式のデータ入力部を備えない側に備えることで、無線通信によってノートＰＣ６ａと通信することができる。
【００２７】
一方、電子黒板２ｂが設置されている他の拠点では、上記と同様に、ディスプレイ３ｂを備えた電子黒板２ｂ、電子ペン４ｂ、ＵＳＢメモリ５ｂ、ノートＰＣ６ｂ、テレビ会議端末７ｂ、ケーブル１０ｂ１、ケーブル１０ｂ２が利用される。更に、ユーザの手Ｈｂ等によって生じたイベントに基づいて、ディスプレイ３ｂ上に表示されている画像を変更させることもできる。
【００２８】
これにより、一の拠点で電子黒板２ａのディスプレイ３ａ上に描画された画像は、他の拠点で電子黒板２ｂのディスプレイ３ｂ上にも表示され、逆に他の拠点で電子黒板２ｂのディスプレイ３ｂ上に描画された画像は、一の拠点で電子黒板２ａのディスプレイ３ａ上に表示される。このように、表示システム１では、遠隔地において同じ画像を共有する遠隔共有処理を行うことができるため、遠隔地での会議等に用いると、非常に便利である。
【００２９】
なお、以下では、複数の電子黒板２のうち任意の電子黒板２を示す場合には「電子黒板２」と示す。複数のディスプレイのうち任意のディスプレイを示す場合には「ディスプレイ３」と示す。複数の電子ペンのうち任意の電子ペンを示す場合には「電子ペン４」と示す。複数のＵＳＢメモリのうち任意のＵＳＢメモリを示す場合には「ＵＳＢメモリ５」と示す。複数のノートＰＣ６のうち任意のノートＰＣ６を示す場合には「ノートＰＣ６」と示す。複数のテレビ会議端末のうち任意のテレビ会議端末を示す場合には「テレビ会議端末７」と示す。また、複数のユーザの手のうち任意の手を示す場合には「手Ｈ」と示す。複数のケーブルのうち任意のケーブルを示す場合には「ケーブル１０」と示す。
【００３０】
また、実施形態では、表示装置の一例として、電子黒板２を説明するが、これに限るものではなく、表示装置の他の例として、電子看板（デジタルサイネージ）、スポーツや天気予報等で利用されるテレストレータ、又は、遠隔画像（映像）診断装置等であってもよい。また、外部機器の一例として、ノートＰＣ６を説明するが、これに限るものではなく、外部機器の他の例として、デスクトップ型ＰＣやタブレット型ＰＣ、ＰＤＡ、スマートフォン、デジタルビデオカメラ、デジタルカメラ、ゲーム機等の画像フレームを供給可能な機器であっても良い。更に、通信ネットワークには、インターネット、ＬＡＮ(Local Area Network)、携帯電話通信網等が含まれる。また、実施形態では、記録媒体の一例として、ＵＳＢメモリを説明するが、これに限るものではなく、記録媒体の他の例として、ＳＤカード等の各種記録メディアであってもよい。
【００３１】
＜実施形態に係る電子黒板のハードウェア構成＞
続いて、電子黒板２のハードウェア構成を説明する。図２は、実施形態に係る電子黒板のハードウェア構成の一例を説明するブロック図である。
【００３２】
図２に示されているように、電子黒板２は、電子黒板２全体の動作を制御するＣＰＵ(Central Processing Unit)１０１と、ＩＰＬ(Initial Program Loader)等のＣＰＵ１０１の駆動に用いられるプログラムを記憶したＲＯＭ(Read Only Memory)１０２と、ＣＰＵ１０１のワークエリアとして使用されるＲＡＭ（Random Access Memory）１０３とを備えている。また、電子黒板２は、電子黒板２用のプログラム等の各種データを記憶するＳＳＤ（Solid State Drive）１０４と、通信ネットワーク９との通信を制御するネットワークコントローラ１０５と、ＵＳＢポート５１を介したＵＳＢメモリ５との通信を制御する外部記憶コントローラ１０６とを備えている。
【００３３】
更に、電子黒板２は、ノートＰＣ６等の外部機器から映像情報を静止画又は動画として入力するキャプチャデバイス１１１と、グラフィクスを専門に扱うＧＰＵ(Graphics Processing Unit)１１２と、ＧＰＵからの出力画像をディスプレイ３等に出力するために画面表示の制御及び管理を行うディスプレイコントローラ１１３とを備えている。キャプチャデバイス１１１が入力した外部機器からの映像情報は、ＧＰＵ１１２及びディスプレイコントローラ１１３を介して、電子黒板２のディスプレイ３に表示される。
【００３４】
また、電子黒板２は、上述したように、ＤｉｓｐｌａｙＰｏｒｔ、ＤＶＩ、ＨＤＭＩ及びＶＧＡ等の規格に準拠した有線ポート１１７ａ及び１１７ｂを備えている。ＰＣ６からの映像情報は、有線ポート１１７ａを介してキャプチャデバイス１１１に入力され、テレビ会議端末７からの映像情報は、有線ポート１１７ｂを介してキャプチャデバイス１１１に入力される。
【００３５】
さらに、電子黒板２は、近距離通信回路１１８と、近距離通信回路１１８のアンテナ１１９とを備えている。近距離通信回路１１８は、ＮＦＣ(Near Field Communication)やＢｌｕｅｔｏｏｔｈ等の通信回路である。ノートＰＣ６、及びテレビ会議端末７からの映像情報は、アンテナ１１９及び近距離通信回路１１８を介した無線通信により、電子黒板２に入力されても良い。
【００３６】
ここで、ＵＳＢポート５１、有線ポート１１７ａ、有線ポート１１７ｂ、及びアンテナ１１９は、それぞれ「データ入力部」の一例である。実施形態では、ＵＳＢポート５１及びアンテナ１１９は電子黒板２の左側に設けられ、有線ポート１１７ａ及び有線ポート１１７ｂは電子黒板２の右側に設けられている。
【００３７】
なお、図２では、電子黒板２が１つのＵＳＢポート５１と、２つの有線ポート１１７ａ及び１１７ｂと、１つのアンテナ１１９とを備える例を示したが、これに限定されるものではない。電子黒板２は１以上のＵＳＢポート５１と、１以上の有線ポートと、１以上のアンテナを備えても良い。
【００３８】
また、電子黒板２は、ＤｉｓｐｌａｙＰｏｒｔ、ＤＶＩ、ＨＤＭＩ及びＶＧＡ等の規格の全部、又は一部の有線ポートを備えても良いし、ＮＦＣやＢｌｕｅｔｏｏｔｈ等の規格の全部、又は一部のアンテナを備えても良い。
【００３９】
更に、電子黒板２は、接触センサ１１５の処理を制御するセンサコントローラ１１４、ディスプレイ３上に電子ペン４やユーザの手Ｈ等が接触したことを検知する接触センサ１１５を備えている。
【００４０】
この接触センサ１１５は、赤外線遮断方式による座標の入力及び座標の検出を行う。この座標の入力及び座標の検出する方法は、ディスプレイ３の上側両端部に設置された２つ受発光装置が、ディスプレイ３に平行して複数の赤外線を放射し、ディスプレイ３の周囲に設けられた反射部材によって反射されて、受光素子が放射した光の光路と同一の光路上を戻って来る光を受光する方法である。
【００４１】
接触センサ１１５は、物体によって遮断された２つの受発光装置が放射した赤外線のＩＤ(Identification)をセンサコントローラ１１４に出力し、センサコントローラ１１４が、物体の接触位置である座標位置を特定する。
【００４２】
また、接触センサ１１５としては、赤外線遮断方式に限らず、静電容量の変化を検知することにより接触位置を特定する静電容量方式のタッチパネル、対向する２の抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。
【００４３】
また、電子黒板２は、電子ペンコントローラ１１６を備えている。この電子ペンコントローラ１１６は、電子ペン４と通信することで、ディスプレイ３へのペン先のタッチやペン尻のタッチの有無を判断する。なお、電子ペンコントローラ１１６が、電子ペン４のペン先及びペン尻だけでなく、電子ペン４のユーザが握る部分や、その他の電子ペンの部分のタッチの有無を判断するようにしてもよい。
【００４４】
更に、電子黒板２は、ＣＰＵ１０１、ＲＯＭ１０２、ＲＡＭ１０３、ＳＳＤ１０４、ネットワークコントローラ１０５、外部記憶コントローラ１０６、キャプチャデバイス１１１、ＧＰＵ１１２、センサコントローラ１１４、及び電子ペンコントローラ１１６を、図４に示されているように電気的に接続するためのアドレスバスやデータバス等のバスライン１２０を備えている。
【００４５】
なお、電子黒板２用のプログラムは、ＣＤ−ＲＯＭ等のコンピュータで読み取り可能な記録媒体に記録して流通させるようにしてもよい。
【００４６】
＜実施形態に係る電子黒板の機能構成＞
続いて、図３Ａ〜図５を用いて電子黒板２の機能構成について説明する。先ず、電子黒板２の全体的な機能構成を、図３Ａを参照して説明する。
【００４７】
図Ａ３は、実施形態に係る電子黒板の機能構成の一例を説明するブロック図である。電子黒板２は、図３Ａに示されているハードウェア構成及びプログラムによって、図３Ａに示されている各機能構成を有する。
【００４８】
電子黒板２は、最初に遠隔共有処理を開始する「主催装置」となり得ると共に、既に開始されている遠隔共有処理に後から参加する「参加装置」にもなり得る。また、電子黒板２は、大きく分けて、クライアント部２０及びサーバ部９０の両方によって構成されている。
【００４９】
クライアント部２０及びサーバ部９０は、電子黒板２の１台の筐体内で実現される機能である。そして、電子黒板２が主催装置となる場合には、この電子黒板２では、クライアント部２０とサーバ部９０が実現される。また、電子黒板２が参加装置となる場合には、この電子黒板２では、クライアント部２０は実現されるが、サーバ部９０は実現されない。
【００５０】
即ち、図３Ａにおいて、電子黒板２ａが主催装置で、電子黒板２ｂが参加装置となる場合、電子黒板２ａのクライアント部２０は、同じ電子黒板２ａ内に実現されたサーバ部９０を介して、他の電子黒板２ｂのクライアント部２０と通信を行う。一方、電子黒板２ｂのクライアント部２０は、他の電子黒板２ａ内に実現されたサーバ部９０を介して、他の電子黒板２ａのクライアント部と通信を行う。
【００５１】
<<クライアント部の機能構成>>
続いて、主に図３Ａから図５を用いて、クライアント部２０の機能構成について説明する。クライアント部２０は、映像取得部２１、座標検知部２２、自動調整部２３、接触検知部２４、イベント振分部２５、操作処理部２６、ジェスチャ処理部２７、映像重畳部２８、画像処理部３０、及び通信制御部６０を有する。
【００５２】
このうち、映像取得部２１は、有線方式のデータ入力部、及び無線方式のデータ入力部に接続された映像出力機器の出力画像を取得する。映像取得部２１は、映像出力機器から画像信号を受信すると、この画像信号を解析して、この画像信号によって形成される映像出力機器の表示画像である画像フレームの解像度や、この画像フレームの更新頻度などの画像情報を導出し、画像取得部３１に出力する。映像出力機器は「外部機器」の一例であり、具体的には、ノートＰＣやスマートフォン、タブレット等である。
【００５３】
ここで、映像取得部２１は、映像出力機器から有線ポート１１７ａ及び１１７ｂを介して有線方式で映像を取得する場合は、映像出力機器のディスプレイに表示された画面の映像を、映像信号としてそのまま取得することができる。
【００５４】
また、映像取得部２１は、映像出力機器からアンテナ１１９を介して無線方式で映像を取得する場合は、映像出力機器のディスプレイに表示された画面の映像を、映像信号としてそのまま取得でき、また、映像出力機器のメモリに格納された画像ファイル等のファイルを取得することもできる。
【００５５】
ファイルを取得する場合、映像取得部２１は、電子黒板２に無線方式で接続された映像出力機器からＰＮＧなど所定の種類のファイルを自動で取得しても良いし、ユーザが指定するファイルを取得しても良い。また、映像出力機器の備える複数のフォルダのうち、ユーザが指定するフォルダに格納されたファイルを取得しても良い。
【００５６】
座標検知部２２は、ディスプレイ３上でユーザによって生じたイベント（ディスプレイ３上にユーザの手Ｈがタッチされた動作等）の座標位置を検出する。また、座標検知部２２は、タッチされた面積も検出する。
【００５７】
自動調整部２３は、電子黒板２の起動時（再起動時と表現してもよい）に起動され、座標検知部２２が適切な値を出力できるように、光センサ方式により座標を検知する座標検知部２２がセンサーカメラの画像を処理する際のパラメータを調整する。
【００５８】
接触検知部２４は、ユーザによって生じたイベント（ディスプレイ３上に電子ペン４のペン先又は電子ペン４のペン尻が押下（タッチ）された動作等）を検出する。
【００５９】
イベント振分部２５は、座標検知部２２によって検知されたイベントの座標位置と接触検知部２４によって検出された検出結果を、ストローク描画、ＵＩ操作、及びジェスチャ操作の各イベントに振り分ける。
【００６０】
ここで、「ストローク描画」は、ディスプレイ３上に図６に示されている後述のストローク画像（Ｂ）が表示されている場合に、ユーザがディスプレイ３上で電子ペン４を押下し、この押下した状態で電子ペン４を移動させ、最終的にディスプレイ３上から電子ペン４を離すまでのイベントである。
【００６１】
このストローク描画により、例えば、アルファベット「Ｓ」や「Ｔ」等がディスプレイ３上に描画される。なお、この「ストローク描画」には、画像を描画するだけでなく、既に描画された画像を削除したり、描画された画像を編集したりするイベントも含まれる。
【００６２】
「ＵＩ操作」は、ディスプレイ３の表示面３０１に後述（図６）するＵＩ画像（Ａ）が表示されている場合に、ユーザが電子ペン４又は手Ｈによって所定の位置を押下したイベントである。換言すると、ＵＩ操作は、ユーザが電子黒板２を動作させるために電子黒板２に対して行う指示であり、「ユーザの指示」の一例である。
【００６３】
このＵＩ操作により、電子ペン４により描画される線の色や幅等が設定される。或いは、ディスプレイ３に表示された画像を静止画として電子黒板２に保存したり、電子黒板２に接続されたノートＰＣ６等の外部機器の映像を電子黒板２に入力したりすることができる。
【００６４】
「ジェスチャ操作」は、ディスプレイ３上に図６に示されている後述のストローク画像（Ｂ）が表示されている場合に、ユーザが手Ｈでディスプレイ３上をタッチしたり移動させたりするイベントである。このジェスチャ操作により、例えば、ユーザがディスプレイ３に手Ｈをタッチさせた状態で手Ｈを移動させることで、画像の拡大（若しくは縮小）、表示領域の変更、又は、ページ切り換え等を行うことができる。
【００６５】
操作処理部２６は、イベント振分部２５によってＵＩ操作と判断されたものから、イベントが発生されたＵＩの要素にしたがって、各種操作を実行する。このＵＩの要素としては、例えば、ボタン、リスト、チェックボックス、テキストボックスが挙げられる。ジェスチャ処理部２７は、イベント振分部２５によってジェスチャ操作と判断されたものに対応した操作を実行する。
【００６６】
映像重畳部２８は、後述の表示重畳部３６で重畳された画像を映像として表示部２９に対して表示する。表示部２９はディスプレイ３により実現される表示機能を示す。ここで、表示部２９は、「画像表示部」の一例である。また、映像重畳部２８は、映像出力機器（ノートＰＣ６等）からの映像に対して、他の映像出力機器（テレビ会議端末７等）から送られて来た映像をピクチャーインピクチャーする。更に、映像重畳部２８は、ピクチャーインピクチャーされて表示部２９の一部に表示された映像を、表示部２９の全体に表示させるための切り替えを行う。
【００６７】
画像処理部３０は、図６に示されているような各画像レイヤの重畳処理等を行う。この画像処理部３０は、ＧＰＵ１１２によって実行される、画像取得部３１、ストローク処理部３２、ＵＩ画像生成部３３、背景生成部３４、透かし画像生成部３８、レイアウト管理部３５、表示重畳部３６、ページ処理部３７、ファイル処理部４０、ページデータ記憶部３００、及び遠隔ライセンス管理テーブル３１０、ＣＰＵ１０１によって実行される入力検出部３３ａを有している。
【００６８】
このうち、画像取得部３１は、映像取得部２１で取得された映像から、各フレームを画像として取得する。画像取得部３１は、この画像のデータを、ページ処理部３７に出力する。この画像は、図６に示されている映像出力機器（ノートＰＣ６等）からの出力画像（Ｃ）に相当する。
【００６９】
ストローク処理部３２は、イベント振分部２５によって割り振られたストローク描画に係るイベントに基づいて、画像を描画したり、描画された画像を削除したり、描画された画像を編集する。このストローク描画による画像は、図６に示されているストローク画像（Ｂ）に相当する。また、このストローク描画に基づいた画像の描画、削除、編集の各結果は、後述の操作データとして、操作データ記憶部８４０に記憶される。
【００７０】
入力検出部３３ａは、複数のデータ入力部の一例としてのＵＳＢポート５１、有線ポート１１７ａ、有線ポート１１７ｂ、及びアンテナ１１９のうち、データが入力されたデータ入力部を検出する。
【００７１】
入力検出部３３ａは、ＵＳＢポート５１、有線ポート１１７ａ、有線ポート１１７ｂ、及びアンテナ１１９の何れか少なくとも１つに外部機器が接続されたことを検出して、データが入力されたデータ入力部を検出する。
【００７２】
また、入力検出部３３ａは、ＵＳＢポート５１、有線ポート１１７ａ、有線ポート１１７ｂ、及びアンテナ１１９毎に付与した識別情報と、電子黒板２の左側、又は右側とを予め対応付けておき、検出結果として、この識別情報をＵＩ画像生成部３３に出力することができる。
【００７３】
「指示受付画像生成部」の一例としてのＵＩ画像生成部３３は、電子黒板２に予め設定されているＵＩ画像を生成する。このＵＩ画像は、「指示受付画像」の一例であり、図６に示されているＵＩ画像（Ａ）に該当する。ここで、図６の例では、ＵＩ画像（Ａ）には、ユーザがＵＩ操作するためのＵＩ６２０ａ、６２０ｂ、及び６２０ｃが含まれている。電子黒板２は、ＵＩ６２０ａ、６２０ｂ、及び６２０ｃを用いて、ユーザの指示（ＵＩ操作）を受け付けることができる。なお、以下では、ＵＩ６２０ａ、６２０ｂ、及び６２０ｃを単にＵＩ６２０という。
【００７４】
そして、ＵＩ画像生成部３３は、入力検出部３３ａが検出したデータ入力部の識別情報に基づいて、電子黒板２の外部機器が接続されている側に、ＵＩ６２０を配置したＵＩ画像（Ａ）を生成することができる。より具体的には、ＵＩ画像生成部３３は、電子黒板２の左側に外部機器が接続されている場合には、表示面３０１の左側にＵＩ６２０が表示させるようにＵＩ６２０を配置したＵＩ画像（Ａ）を生成し、電子黒板２の右側に外部機器が接続されている場合には、表示面３０１の右側にＵＩ６２０が表示されるようにＵＩ６２０を配置したＵＩ画像（Ａ）を生成する。また、電子黒板２の両側に外部機器が接続されている場合には、表示面３０１の両側にＵＩ６２０が表示されるようにＵＩ６２０を配置したＵＩ画像（Ａ）を生成する。
【００７５】
ＵＩ画像生成部３３は、入力検出部３３ａから入力した識別情報に基づき、テーブルを参照して、ＵＩ画像を構成する画像を取得する。そして、取得した画像を用いてＵＩ画像を生成することができる。
【００７６】
ここで、図３Ｂは、ＵＩ画像生成部３３がＵＩ画像の生成時に参照するテーブルの一例を示す図である。図３Ｂにおいて、最も左側の列には識別情報が示され、その右側の列には識別情報の説明が示されている。また、その右側の列には、ＵＩ画像を構成する画像が示され、その右側にはＵＩ画像の説明が示されている。図３Ｂに示すように、識別情報とＵＩ画像とは対応付けられている。図３Ｂに示すテーブルは、予め作成され、ＳＳＤ１０４等に記憶されている。
【００７７】
ＵＩ画像生成部３３は、入力検出部３３ａから入力した識別情報に基づき、図３Ｂのテーブルを参照して生成するＵＩ画像を構成する画像を取得することができる。
【００７８】
また、実施形態では、入力検出部３３ａが複数のデータ入力部にデータが入力されたことを検出した場合に、予め定められた識別情報の優先順位に従って、ＵＩ画像を生成することができる。図３Ｂ（ａ）は、識別情報に優先順位がない場合を示す図、図３Ｂ（ｂ）は識別情報に優先順位がある場合を示す図である。
【００７９】
図３Ｂ（ｂ）の優先順位があるテーブルを用いる場合は、入力検出部３３ａが複数のデータ入力部にデータが入力されたことを検出した時に、ＵＩ画像生成部３３は、優先順位が最も高いＵＩ画像を生成する。
【００８０】
背景生成部３４は、ページ処理部３７がページデータ記憶部３００から読み出したページデータのうちのメディアデータを、ページ処理部３７から受信する。背景生成部３４は、この受信したメディアデータを表示重畳部３６に出力する。また、このメディアデータによる画像は、図６に示されている背景画像（Ｄ）に相当する。背景画像（Ｄ）のパターンは、無地、グリッド表示等である。
【００８１】
透かし画像生成部３８は、電子黒板２の記憶手段としてページデータ記憶部３００に記憶されている透かし画像データを表示重畳部３６に出力する。この透かし画像データは、図６に示されている透かし画像（Ｅ）に相当する。透かし画像生成部３８はページデータ記憶部３００の透かし画像データをディスプレイ３の解像度やアスペクト比に合わせるなどの処理を行って透かし画像データを生成する。
【００８２】
透明度は予め透かし画像データが保持していてもよいし、ユーザが電子黒板２で設定してもよい。別の言い方をすれば、透かし画像（Ｅ）に関する透かし画像データは、少なくとも透かし画像（Ｅ）の透明度に関する情報を有していてもよい。
【００８３】
レイアウト管理部３５は、表示重畳部３６に対して、画像取得部３１、ストローク処理部３２、ＵＩ画像生成部３３（又は背景生成部３４）及び透かし画像生成部３８から出力された各画像のレイアウトを示すレイアウト情報を管理している。
【００８４】
これにより、レイアウト管理部３５は、表示重畳部３６に対して、出力画像（Ｃ）、ストローク画像（Ｂ）及び透かし画像（Ｅ）を、ＵＩ画像（Ａ）及び背景画像（Ｄ）中のどの位置に表示させるか又は非表示にさせるかを指示することができる。
【００８５】
表示重畳部３６は、レイアウト管理部３５から出力されたレイアウト情報に基づき、画像取得部３１、ストローク処理部３２、ＵＩ画像生成部３３（背景生成部３４）及び透かし画像生成部３８から出力された各画像のレイアウト（重ね合わせ）を行う。
【００８６】
ページ処理部３７は、ストローク画像（Ｂ）のデータと出力画像（Ｃ）のデータを、１つのページデータにまとめてページデータ記憶部３００に記憶する。ストローク画像（Ｂ）のデータは、図６に示されているストローク配列データＩＤで示されるストローク配列データ（各ストロークデータ）として、ページデータの一部を成す。出力画像（Ｃ）のデータは、図６に示されているメディアデータＩＤで示されているメディアデータとして、ページデータの一部を成す。そして、このメディアデータは、ページデータ記憶部３００から読み出されると、背景画像（Ｄ）のデータとして取り扱われる。
【００８７】
また、ページ処理部３７は、一旦記憶されたページデータのうちのメディアデータを、背景生成部３４を介して表示重畳部３６に送信することで、映像重畳部２８が背景画像（Ｄ）をディスプレイ３に再表示させることができる。また、ページ処理部３７は、ページデータのうちのストローク配列データ（各ストロークデータ）を、ストローク処理部３２に戻すことで、ストロークの再編集ができる状態にすることができる。更に、ページ処理部３７は、ページデータを削除したり複製したりすることもできる。
【００８８】
即ち、ページ処理部３７がページデータ記憶部３００にページデータを記憶する時点でディスプレイ３上に表示されている出力画像（Ｃ）のデータは、一旦、ページデータ記憶部３００に記憶され、その後にページデータ記憶部３００から読み出される際には、背景画像（Ｄ）を示すメディアデータとして読み出される。
【００８９】
そして、ページ処理部３７は、ページデータ記憶部３００から読み出したページデータのうち、ストローク画像（Ｂ）を示すストローク配列データを、ストローク処理部３２に出力する。また、ページ処理部３７は、ページデータ記憶部３００から読み出したページデータのうち、背景画像（Ｄ）を示すメディアデータを、背景生成部３４に出力する。
【００９０】
また、ページ処理部３７は、ページデータ記憶部３００に記憶された透かし画像データを透かし画像生成部３８に送出する。透かし画像生成部３８は透かし画像を表示重畳部３６に送信する。
【００９１】
表示重畳部３６は、画像取得部３１からの出力画像（Ｃ）、ストローク処理部３２からのストローク画像（Ｂ）、ＵＩ画像生成部３３からのＵＩ画像（Ａ）、背景生成部３４からの背景画像（Ｄ）、及び透かし画像生成部３８からの透かし画像（Ｅ）を、レイアウト管理部３５によって指定されたレイアウトにしたがって重畳する。これにより、図６に示されているように、各画像が重なってもユーザが見える順に、ＵＩ画像（Ａ）、ストローク画像（Ｂ）、透かし画像（Ｅ）、出力画像（Ｃ）、及び背景画像（Ｄ）の各レイヤの構成となっている。
【００９２】
また、表示重畳部３６は、図６に示されている出力画像（Ｃ）と背景画像（Ｄ）を切り替えて、ＵＩ画像（Ａ）、ストローク画像（Ｂ）及び透かし画像（Ｅ）に対して排他的に重畳することも可能である。例えば、当初、ＵＩ画像（Ａ）、ストローク画像（Ｂ）及び出力画像（Ｃ）が表示されている状態で、電子黒板２と映像出力機器（ノートＰＣ６等）との間のケーブル１０が抜かれた場合には、レイアウト管理部３５の指定によって、出力画像（Ｃ）を重畳対象から外し、背景画像（Ｄ）を表示させることができる。この場合、レイアウト管理部３５は透かし画像（Ｅ）を非表示から表示に切り替える。また、表示重畳部３６は、表示の拡大、表示の縮小、表示領域の移動処理も行う。
【００９３】
ページデータ記憶部３００は、表１に示されているようなページデータを記憶する。
【００９４】
【表１】
2020154660.tif 000003
表１は、ページデータを概念的に示す。ページデータは、ディスプレイ３に表示される１ページ分のデータ（ストローク配列データ（各ストロークデータ）及びメディアデータ）である。なお、ページデータに含まれるパラメータの種類が多いため、ここでは、表１〜表４に分けて、ページデータの内容を説明する。
【００９５】
ページデータは、表１に示されているように、任意の１ページを識別するためのページデータＩＤ、このページの表示を開始した時刻を示す開始時刻、ストロークやジェスチャ等によるページの内容の書き換えが行われなくなった時刻を示す終了時刻、電子ペン４やユーザの手Ｈによるストロークによって生じたストローク配列データを識別するためのストローク配列データＩＤ、及びメディアデータを識別するためのメディアデータＩＤが関連付けて記憶されている。ストローク配列データは、後述の図７に示されているストローク画像（Ｂ）がディスプレイ３上に表示されるためのデータである。メディアデータは、後述の図７に示されている背景画像（Ｄ）がディスプレイ３上に表示されるためのデータである。
【００９６】
このようなページデータにより、例えば、ユーザが電子ペン４によってアルファベット「Ｓ」を描く場合は一筆書きとなるため、ストロークデータＩＤが１つで一文字のアルファベット［Ｓ］が示される。ところが、ユーザが電子ペン４によってアルファベット「Ｔ」を描く場合、二筆書きとなるため、ストロークデータＩＤが２つで一文字のアルファベット「Ｔ」が示されることになる。
【００９７】
【表２】
2020154660.tif 000004
また、ストローク配列データは、表２に示されているように詳細な情報を示している。表２は、ストローク配列データを概念的に示す。表２に示されているように、１つのストローク配列データは、複数のストロークデータによって表される。そして、１つのストロークデータは、このストロークデータを識別するためのストロークデータＩＤ、１つのストロークの書き始めの時刻を示す開始時刻、１つのストロークの書き終わりの時刻を示す終了時刻、ストロークの色、ストロークの幅、及び、ストロークの通過点の配列を識別するための座標配列データＩＤを示している。
【００９８】
【表３】
2020154660.tif 000005
更に、この座標配列データは、表３に示されているように詳細な情報を示している。表３は、座標配列データを概念的に示す。表３に示されているように、座標配列データは、ディスプレイ３上の１点（Ｘ座標値、Ｙ座標値）、この１点を通過したときのストロークの開始時刻からの差分の時刻（ｍｓ）、及び、この１点における電子ペン４の筆圧の各情報を示している。即ち、表３に示されている１点の集まりが、表２に示されている１つの座標配列データで示されている。例えば、ユーザが電子ペン４によってアルファベット「Ｓ」を描く場合、一筆書きとなるが、「Ｓ」を描き終えるまでに、複数の通過点を通過するため、座標配列データは、これら複数の通過点の情報を示している。
【００９９】
また、表１に示されているページデータのうちのメディアデータは、表４に示されているように詳細な情報を有している。
【０１００】
【表４】
2020154660.tif 000006
表４は、メディアデータを概念的に示す。表４に示されているように、メディアデータは、表１に示されているページデータにおけるメディアデータＩＤ、メディアデータのデータ種類、ページ処理部３７からページデータ記憶部３００にページデータが記憶された記録時刻、ページデータによってディスプレイ３上に表示される画像の位置（Ｘ座標値、Ｙ座標値）及び画像のサイズ（幅、高さ）、並びにメディアデータの内容を示すデータが関連付けられて示されている。このうち、ページデータによってディスプレイ３上に表示される画像の位置は、ディスプレイ３の左上端の座標を（Ｘ座標値，Ｙ座標値）＝（０，０）とした場合に、ページデータによって表示される画像の左上端の位置を示している。
【０１０１】
図３Ａに戻って説明する。ページデータ記憶部３００には、透かし画像データが記憶されている。透かし画像データは表５に示されているような情報を有している。
【０１０２】
【表５】
2020154660.tif 000007
表５は、ページデータ記憶部３００に記憶された透かし画像データを概念的に示す。表５に示されているように、透かし画像データはファイルとして保持されており、ファイル名、更新日時、種類、及び、作成者の各情報を対応付けて保持している。これらは情報処理装置がファイルの属性として有する項目であり、この他、ファイルが持ちうる属性が登録されていてよい。
【０１０３】
また、表５では３つのファイルが登録されているが、ファイルは１つ以上登録されていればよい。また、１つもファイルが登録されていない場合もあり得る（透かし画像は表示できない）。複数のファイルが登録されている場合、最後に表示された透かし画像データ、ユーザが選択した透かし画像データ、更新日時が最も新しい（又は古い）透かし画像データ、又は、電子黒板２にログインしたユーザを作成者とする透かし画像データが適宜、選択して使用される。
【０１０４】
ファイルの種類は透明度を扱える透過ＰＮＧ（以下、単にＰＮＧという）であるが、透過ＧＩＦなど透明度を表すことができるファイルであればよい。また、ファイルの機能として透明度を保持できなくても透かし画像生成部３８が、ＪＰＥＧなどから透明度が制御された透かし画像を作成してもよい。
【０１０５】
次に、遠隔ライセンス管理テーブル３１０について説明する。遠隔ライセンス管理テーブル３１０は、遠隔共有処理を実行するために必要なライセンスデータを管理する。この遠隔ライセンス管理テーブル３１０では、電子黒板２のプロダクトＩＤ、認証に用いられるライセンスＩＤ、及びライセンスの有効期限が関連付けて管理されている。
【０１０６】
（ファイル処理部４０の機能構成）
続いて、図４を用いて、図３Ａに示されているファイル処理部４０の機能構成を説明する。図４は、実施形態に係るファイル処理部の機能構成の一例を説明するブロック図である。ファイル処理部４０は、リカバリ処理部４１と、ファイル入力部４２ａと、ファイル出力部４２ｂと、ファイル変換部４３と、ファイル送信部４４と、アドレス帳入力部４５と、バックアップ処理部４６と、バックアップ出力部４７と、設定管理部４８と、設定ファイル入力部４９ａと、設定ファイル出力部４９ｂとを備えている。
【０１０７】
更に、ファイル処理部４０は、アドレス帳管理テーブル４１０、バックアップデータ記憶部４２０、設定ファイル記憶部４３０、及び接続先管理テーブル４４０を有している。
【０１０８】
このうち、リカバリ処理部４１は、電子黒板２が異常終了した後に、異常終了を検知し、未保存のページデータを復旧する。例えば、正常終了の場合は、ページデータがＰＤＦファイルとしてファイル処理部４０を介してＵＳＢ５に記録されるが、電源がダウンした等の異常終了の場合は、ページデータがページデータ記憶部３００に記録されたままになっている。そのため、再び、電源オンになった際に、リカバリ処理部４１は、ページデータ記憶部３００からページデータを読み出すことで復旧させる。
【０１０９】
ファイル入力部４２ａは、ＵＳＢメモリ５から、ＰＤＦファイルを読み込み、各ページをページデータとしてページデータ記憶部３００に記憶する。ファイル変換部４３は、ページデータ記憶部３００に記憶されているページデータを、ＰＤＦ形式のファイルに変換する。
【０１１０】
また、ファイル入力部４２ａは、透かし画像データ等の画像データを取得し、ページデータ記憶部３００に記憶する。ファイル入力部４２ａは、電子黒板２に接続されたＵＳＢメモリ５からＰＮＧ等の所定の種類のファイルを自動で取得しても良いし、ユーザが指定するファイルをＵＳＢメモリ５から取得し、ページデータ記憶部３００にコピーしても良い。また、ファイル入力部４２ａは、ＵＳＢメモリ５の備える複数のフォルダのうち、ユーザが指定するフォルダに格納されたファイルを取得し、ページデータ記憶部３００にコピーしてもよい。
【０１１１】
また、ユーザが任意の端末を操作して電子黒板２と通信し、電子黒板２が用意したＷｅｂページを使って透かし画像データを電子黒板２にアップロードで入力してもよい。この場合、ファイル入力部４２ａはＷｅｂサーバとして機能する。任意の端末はブラウザ等で電子黒板２のＩＰアドレスを指定してファイル送信が可能なＨＴＭＬデータを電子黒板２から受信する。ブラウザはユーザによるファイルの選択を受け付けるので、ユーザが選択した透かし画像データのファイルを任意の端末がファイル入力部４２ａに送信する。ファイル入力部４２ａは透かし画像データのファイルをページデータ記憶部３００に記憶させる。別の言い方をすれば、ファイル入力部４２ａは、透かし画像（Ｅ）の透明度に関する情報を有する透かし画像データを、外部から入力する（取得する）ことができ、その透かし画像データをページデータ記憶部３００に記憶することができる。
【０１１２】
ファイル出力部４２ｂは、ファイル変換部４３によって出力されたＰＤＦファイルをＵＳＢメモリ５に記録する。
【０１１３】
ファイル送信部４４は、ファイル変換部４３によって生成されたＰＤＦファイルを、電子メールに添付して送信する。このファイルの送信先は、表示重畳部３６によってディスプレイ３上にアドレス帳管理テーブル４１０の内容を表示し、ファイル送信部４４がユーザによるタッチパネル等の入力装置の操作により、宛先の選択を受け付けることによって決定される。アドレス帳管理テーブル４１０には、宛先の名前及び宛先の電子メールのメールアドレスが関連付けて管理されている。
【０１１４】
また、ファイル送信部４４が、ユーザによるタッチパネル等の入力装置の操作により、宛先としてのメールアドレスの入力を受け付けることもできる。
【０１１５】
アドレス帳入力部４５は、ＵＳＢメモリ５から電子メールアドレスの一覧ファイルを読み込み、アドレス帳管理テーブル４１０に管理する。
【０１１６】
バックアップ処理部４６は、ファイル出力部４２ｂによって出力されたファイルや、ファイル送信部４４によって送信されたファイルを、バックアップデータ記憶部４２０に記憶することでバックアップする。なお、ユーザがバックアップ設定しない場合は、バックアップの処理は行われない。バックアップデータは、ＰＤＦ形式で記憶される。
【０１１７】
バックアップ出力部４７は、バックアップされたファイルをＵＳＢメモリ５に記憶する。この記憶の際には、ユーザによるタッチパネル等の入力装置の操作により、セキュリティのためにパスコードが入力される。
【０１１８】
設定管理部４８は、電子黒板２の各種設定情報を設定ファイル記憶部４３０に記憶したり読み出したりして管理する。この各種設定情報としては、例えば、ネットワーク設定、日付や時刻の設定、地域や言語の設定、メールサーバの設定、アドレス帳の設定、接続先リストの設定、バックアップに関する設定が挙げられる。なお、ネットワーク設定は、例えば、電子黒板２のＩＰアドレスの設定、ネットマスクの設定、デフォルトゲートウェイの設定、又はＤＮＳ(Domain Name System)の設定等である。
【０１１９】
設定ファイル出力部４９ｂは、電子黒板２の各種設定情報を、設定ファイルとしてＵＳＢメモリ５に記録させる。なお、設定ファイルはセキュリティによって、ユーザは中身を見ることができない。
【０１２０】
設定ファイル入力部４９ａは、ＵＳＢメモリ５に記憶されている設定ファイルを読み込み、各種設定情報を電子黒板２の各種設定に反映させる。
【０１２１】
アドレス帳入力部５０は、ＵＳＢメモリ５から遠隔共有処理の接続先ＩＰアドレスの一覧ファイルを読み込み、接続先管理テーブル４４０に管理する。
【０１２２】
接続先管理テーブル４４０は、電子黒板２が遠隔共有処理に参加しようとする参加装置である場合、この参加装置のユーザが主催装置としての役割を果たす電子黒板２のＩＰアドレスを入力する手間を削減するために、予め管理しておくためのテーブルである。この接続先管理テーブル４４０では、参加されることが可能な主催装置としての電子黒板２が設置されている拠点の名称、及び主催装置としての電子黒板２のＩＰアドレスが関連付けて管理されている。
【０１２３】
なお、接続先管理テーブル４４０は、無くてもよい。但し、この場合には、参加装置のユーザは、主催装置との間で遠隔要求処理の開始するために、タッチパネル等の入力装置によって、主催装置のＩＰアドレスを入力する必要がある。そのため、参加装置のユーザは、電話や電子メール等によって、主催装置のユーザから、主催装置のＩＰアドレスを知得する。
【０１２４】
（通信制御部６０の機能構成）
次に、図５を用いて、通信制御部６０の機能構成について説明する。図５は、サーバ部とクライアント部の機能構成の一例を説明するブロック図である。通信制御部６０は、通信ネットワーク９を介して、他の電子黒板２と行う通信や、サーバ部９０における後述の通信制御部７０と行う通信を制御する。そのため、通信制御部６０は、遠隔開始処理部６１、遠隔参加処理部６２、遠隔画像送信部６３、遠隔画像受信部６４、遠隔操作送信部６５、遠隔操作受信部６６、及び参加拠点管理テーブル６１０を有している。
【０１２５】
このうち、遠隔開始処理部６１は、同じ電子黒板２のサーバ部９０に対して、新たに遠隔共有処理を開始する要求を行い、サーバ部９０から要求の結果を受信する。この場合、遠隔開始処理部６１は、遠隔ライセンス管理テーブル３１０を参照し、ライセンス情報（プロダクトＩＤ、ライセンスＩＤ、及び有効期限）が管理されている場合には、遠隔共有処理を開始する要求を行うことができる。但し、ライセンス情報が管理されていない場合には遠隔共有処理を開始する要求を行うことができない。
【０１２６】
参加拠点管理テーブル６１０は、電子黒板２が主催装置である場合、現在、遠隔共有処理に参加している参加装置としての電子黒板２を管理するテーブルである。
この参加拠点管理テーブル６１０では、参加中の電子黒板２が設置されている拠点の名称及び当該電子黒板２のＩＰアドレスが関連付けて管理されている。
【０１２７】
遠隔参加処理部６２は、通信ネットワーク９を介して、既に遠隔共有処理を開始している主催装置としての電子黒板２のサーバ部９０における遠隔接続要求受信部７１に対して、遠隔共有処理への参加要求を行う。この場合も、遠隔参加処理部６２は、遠隔ライセンス管理テーブル３１０を参照する。
【０１２８】
また、遠隔参加処理部６２が、既に開始されている遠隔共有処理に参加する場合には、接続先管理テーブル４４０を参照して、参加先の電子黒板２のＩＰアドレスを取得する。なお、遠隔参加処理部６２によって接続先管理テーブルが参照されず、ユーザによるタッチパネル等の入力装置の操作により参加先の電子黒板２のＩＰアドレスが入力されてもよい。
【０１２９】
遠隔画像送信部６３は、映像取得部２１から画像取得部３１を介して送られて来た出力画像（Ｃ）を、サーバ部９０に送信する。
【０１３０】
遠隔画像受信部６４は、サーバ部９０から、他の電子黒板２に接続された映像出力機器からの画像データを受信し、表示重畳部３６に出力することで、遠隔共有処理を可能にする。
【０１３１】
遠隔操作送信部６５は、遠隔共有処理に必要な各種操作データをサーバ部９０に送信する。この各種操作データとしては、例えば、ストロークの追加、ストロークの削除、ストロークの編集（拡大、縮小、移動）、ページデータの記憶、ページデータの作成、ページデータの複製、ページデータの削除、表示されているページの切り替え等に関するデータが挙げられる。また、遠隔操作受信部６６は、サーバ部９０から、他の電子黒板２で入力された操作データを受信し、画像処理部３０に出力することで、遠隔共有処理を行う。
【０１３２】
<<サーバ部の機能構成>>
続いて、図５を用いて、サーバ部９０の機能構成について説明する。サーバ部９０は、各電子黒板２に設けられており、いずれの電子黒板２であっても、サーバ部としての役割を果たすことができる。そのため、サーバ部９０は、通信制御部７０、及びデータ管理部８０を有している。
（通信制御部７０の機能構成）
次に、図５を用いて、通信制御部７０の機能構成について説明する。
【０１３３】
通信制御部７０は、同じ電子黒板２内のクライアント部２０における通信制御部７０、及び通信ネットワーク９を介して他の電子黒板２内のクライアント部２０における通信制御部７０との通信を制御する。データ管理部８０は、操作データや画像データ等を管理する。
【０１３４】
更に詳細に説明すると、通信制御部７０は、遠隔接続要求受信部７１、遠隔接続結果送信部７２、遠隔画像受信部７３、遠隔画像送信部７４、遠隔操作受信部７５、及び遠隔操作送信部７６を有している。
【０１３５】
このうち、遠隔接続要求受信部７１は、遠隔開始処理部６１からの遠隔共有処理の開始要求を受信したり、遠隔参加処理部６２からの遠隔共有処理に対する参加要求を受信したりする。遠隔接続結果送信部７２は、遠隔開始処理部６１へ遠隔共有処理の開始要求の結果を送信したり、遠隔参加処理部６２へ遠隔共有処理に対する参加要求の結果を送信したりする。
【０１３６】
遠隔画像受信部７３は、遠隔画像送信部６３からの画像データ（出力画像（Ｃ）のデータ）を受信し、後述の遠隔画像処理部８２に送信する。遠隔画像送信部７４は、遠隔画像処理部８２から画像データを受信し、遠隔画像受信部６４に対して、この画像データを送信する。
【０１３７】
遠隔操作受信部７５は、遠隔操作送信部６５からの操作データ（ストローク画像（Ｂ）等のデータ）を受信し、後述の遠隔操作処理部８３に送信する。遠隔操作送信部７６は、遠隔操作処理部８３から操作データを受信し、遠隔操作受信部６６に対して、この操作データを送信する。
【０１３８】
（データ管理部の機能構成）
次に、図５を用いて、データ管理部８０の機能構成について説明する。データ管理部８０は、遠隔接続処理部８１、遠隔画像処理部８２、遠隔操作処理部８３、操作合成処理部８４、及びページ処理部８５を有している。更に、サーバ部９０は、パスコード管理部８１０、参加拠点管理テーブル８２０、画像データ記憶部８３０、操作データ記憶部８４０、及びページデータ記憶部８５０を有している。
【０１３９】
このうち、遠隔接続処理部８１は、遠隔共有処理の開始、及び遠隔共有処理の終了を行う。また、遠隔接続処理部８１は、遠隔接続要求受信部７１が、遠隔開始処理部６１から遠隔共有処理の開始要求と共に受信したライセンス情報、又は、遠隔参加処理部６２から遠隔共有処理の参加要求と共に受信したライセンス情報に基づいて、ライセンスの有無やライセンスの期間内であるかを確認する。更に、遠隔接続処理部８１は、クライアント部としての他の電子黒板２からの参加要求が予め定められた参加可能数を超えていないかを確認する。
【０１４０】
更に、遠隔接続処理部８１は、他の電子黒板２から遠隔共有処理に対する参加要求があった際に送られて来たパスコードが、パスコード管理部８１０で管理されているパスコードと同じであるか否かを判断し、同じである場合には、遠隔共有処理の参加を許可する。
【０１４１】
なお、このパスコードは、新たに遠隔共有処理を開始する際に、遠隔接続処理部８１によって発行され、遠隔共有処理に参加しようとする参加装置としての電子黒板２のユーザが、主催装置としての電子黒板２のユーザから、電話や電子メール等により伝えられる。
【０１４２】
これにより、遠隔共有処理に参加しようとする参加装置のユーザが、タッチパネル等の入力装置によって参加装置にパスコードを入力して参加要求することで、参加が許可されることになる。なお、セキュリティよりもユーザの使い勝手を優先して、ライセンス状況の確認だけで、パスコードの確認を省略してもよい。
【０１４３】
また、電子黒板２が主催装置の場合、遠隔接続処理部８１は、参加装置の遠隔参加処理部６２から通信ネットワーク９を介して送られて来た参加要求に含まれる参加拠点情報を、サーバ部９０の参加拠点管理テーブル８２０に記憶する。そして、遠隔接続処理部８１は、参加拠点管理テーブル８２０に記憶されている遠隔拠点情報を読み出し、遠隔接続結果送信部７２に送信する。遠隔接続結果送信部７２は、同じ主催装置のクライアント部２０における遠隔開始処理部６１に遠隔拠点情報を送信する。
【０１４４】
遠隔開始処理部６１は、参加拠点管理テーブルに６１０に、遠隔拠点情報を記憶する。これにより、主催装置では、クライアント部２０及びサーバ部９０の両方で、遠隔拠点情報を管理することになる。
【０１４５】
遠隔画像処理部８２は、遠隔共有処理中の各電子黒板２のクライアント部（主催装置である自己の電子黒板２のクライアント部を含む）に接続された映像出力機器（ノートＰＣ６等）からの画像データ（出力画像（Ｃ））を受信して画像データ記憶部８３０に記憶すると共に、主催装置である自己の電子黒板２のサーバ部９０に届いた時間順で遠隔共有処理すべき画像データの表示順を判断する。また、遠隔画像処理部８２は、参加拠点管理テーブル８２０を参照し、遠隔共有処理に参加中の全ての電子黒板２のクライアント部２０（主催装置である自己の電子黒板２のクライアント部を含む）に、通信制御部７０（遠隔画像送信部７４）を介して、上記判断した順番で画像データを送信する。
【０１４６】
遠隔操作処理部８３は、遠隔共有処理中の各電子黒板２のクライアント部（主催装置である自己の電子黒板２のクライアント部を含む）で描画されたストローク画像等の各種操作データ（ストローク画像（Ｂ）等）を受信し、主催装置である自己の電子黒板２のサーバ部９０に届いた時間順で遠隔共有処理すべき画像の表示順を判断する。なお、各種操作データは、上記の各種操作データと同じである。また、遠隔操作処理部８３は、参加拠点管理テーブル８２０を参照し、遠隔共有処理中の全ての電子黒板２のクライアント部２０（主催装置である自己の電子黒板２のクライアント部を含む）に操作データを送信する。
【０１４７】
操作合成処理部８４は、遠隔操作処理部８３から出力された各電子黒板２の操作データを合成し、この合成結果としての操作データを、操作データ記憶部８４０に記憶すると共に遠隔操作処理部８３に戻す。この操作データは、遠隔操作送信部７６から、主催装置である電子黒板２のクライアント部、及び参加装置である電子黒板２のクライアント部のそれぞれに送信されることで、各電子黒板２で同じ操作データに係る画像が表示される。操作データの一例を表６に示す。
【０１４８】
【表６】
2020154660.tif 000008
操作データは、表６に示されているように、ＳＥＱ(Sequence)、操作データの操作名、操作データの送信元である電子黒板２のＩＰアドレス及びクライアント部（サーバ部）のPort No.、操作データの送信先である電子黒板２のＩＰアドレス及びクライアント部（サーバ部）のPort No,、操作データの操作種類、操作データの操作対象、並びに操作データの内容を示すデータが関連付けられて示されている。例えば、SEQ1では、主催装置である電子黒板２（ＩＰアドレス：192.0.0.1）のクライアント部（Port No.:50001）でストロークが描画されると、同じ主催装置である電子黒板２（ＩＰアドレス：192.0.0.1）のサーバ部（Port No.:50000）に操作データが送られたことが示されている。この場合の操作種類は「STROKE」、操作対象はページデータＩＤ「p005」、及び、操作データの内容を示すデータはストロークを示すデータである。また、SEQ2では、主催装置である電子黒板２（ＩＰアドレス：192.0.0.1）のサーバ部（Port No.:50000）から、参加装置である他の電子黒板２（ＩＰアドレス：192.0.0.1）のクライアント部（Port No.:50001）に、操作データが送られたことが示されている。
【０１４９】
なお、操作合成処理部８４は、この操作合成処理部８４に操作データが入力された順に合成を行うため、通信ネットワーク９が混雑していなければ、各電子黒板２のユーザによるストローク順に、遠隔共有処理中の全ての電子黒板２のディスプレイ３にストローク画像（Ｂ）が表示される。
【０１５０】
ページ処理部８５は、クライアント部２０の画像処理部３０におけるページ処理部３７と同様の機能を有し、サーバ部９０でも、表１から表３に示されているページデータを、ページデータ記憶部８５０に記憶する。なお、ページデータ記憶部８５０は、画像処理部３０におけるページデータ記憶部３００と同じ内容であるため、その説明を省略する。
【０１５１】
＜実施形態に係る各電子黒板による処理＞
続いて、図７及び図８Ａを用いて、実施形態に係る各電子黒板２による処理について説明する。図７及び図８Ａに示す例では、電子黒板２ａが遠隔共有処理を主催する主催装置（サーバ部及びクライアント部）としての役割を果たしており、電子黒板２ｂ，２ｃが遠隔共有処理に参加する参加装置（クライアント部）としての役割を果たす場合について説明する。
【０１５２】
また、ここでは、電子黒板２ａ，２ｂ，２ｃには、それぞれディスプレイ３ａ，３ｂ，３ｃが接続され、更に、それぞれノートＰＣ６ａ，６ｂ，６ｃが接続されている。また、電子黒板２ａ，２ｂ，２ｃでは、それぞれ電子ペン４ａ，４ｂ，４ｃが使用される。
【０１５３】
（参加の処理）
先ずは、図７を用いて、電子黒板２ｂ，２ｃが遠隔共有処理に参加するための処理について説明する。
【０１５４】
ユーザが電子黒板２ａの電源スイッチをオンにすると、電子黒板２ａのクライアント部２０が起動する。そして、ユーザがタッチパネル等の入力装置によってサーバ部９０を起動させる操作をすると、クライアント部２０の遠隔開始処理部６１から同じ電子黒板２ａのサーバ部９０における遠隔接続要求受信部７１に、サーバ部９０の処理を開始させる指示を出力する。これにより、電子黒板２ａでは、クライアント部２０だけでなくサーバ部９０も各種処理を開始可能となる（ステップＳ２１）。
【０１５５】
次に、電子黒板２ａのクライアント部２０におけるＵＩ画像生成部３３が電子黒板２ａとの接続を確立するための接続情報を生成し、映像重畳部２８が、ＵＩ画像生成部３３から表示重畳部３６を介して得た接続情報をディスプレイ３ａに表示させる（ステップＳ２２）。
【０１５６】
この接続情報には、主催装置のＩＰアドレス、及び今回の遠隔共有処理のために生成されたパスコードが含まれている。この場合、パスコード管理部８１０に記憶されているパスコードは、図５に示されている遠隔接続処理部８１によって読み出され、遠隔接続結果送信部７２、遠隔開始処理部６１の順に送信される。更に、パスコードは、遠隔開始処理部６１を含む通信制御部６０から、図４に示されている画像処理部３０に送信され、最終的にＵＩ画像生成部３３に入力される。これにより、接続情報には、パスコードが含まれる。そして、接続情報は、電子黒板２ａのユーザによって、電話や電子メールにより、電子黒板２ｂ，２ｃのユーザに伝えられる。なお、接続先管理テーブル４４０があれば、接続情報には、主催装置のＩＰアドレスが含まれていなくても、参加装置は参加要求を行うことができる。
【０１５７】
次に、電子黒板２ｂ，２ｃでは、各ユーザによるタッチパネル等の入力装置の操作によって接続情報の入力を受け付けると、各電子黒板２ａ，２ｂのクライアント部２０における遠隔参加処理部６２が、接続情報のＩＰアドレスに基づき、通信ネットワーク９を介して、電子黒板２ａのサーバ部９０における通信制御部７０に対してパスコードを送信して参加要求を行う（ステップＳ２３，Ｓ２４）。これにより、通信制御部７０の遠隔接続要求受信部７１は、各電子黒板２ｂ，２ｃから、参加要求（パスコードを含む）を受信し、このパスコードを遠隔接続処理部８１に出力する。
【０１５８】
次に、遠隔接続処理部８１は、各電子黒板２ｂ，２ｃから受信したパスコードに対し、パスコード管理部８１０で管理されているパスコードを用いて認証する（ステップＳ２５）。
【０１５９】
そして、遠隔接続結果送信部７２が、各電子黒板２ｂ，２ｃのクライアント部２０に認証結果を通知する（ステップＳ２６，Ｓ２７）。
【０１６０】
ステップＳ２５の認証により、各電子黒板２ｂ，２ｃが正当な電子黒板２であると判断されていた場合には、主催装置である電子黒板２ａと、参加装置である電子黒板２ｂ，２ｃとの遠隔共有処理の通信が確立され、各電子黒板２ｂ，２ｃのクライアント部２０における遠隔参加処理部６２が、それぞれ他の電子黒板２との間の遠隔共有処理の開始を可能にする（ステップＳ２８，Ｓ２９）。
【０１６１】
（出力画像の表示）
続いて、図７を用いて、遠隔共有処理における出力画像（Ｃ）が表示される処理について説明する。
【０１６２】
まず、電子黒板２ｂは、ディスプレイ３ｂに出力画像（Ｃ）を表示する（ステップＳ３０）。具体的には、電子黒板２ｂの画像取得部３１が、ノートＰＣ６ｂから映像取得部２１を介して、ノートＰＣ６ｂで表示されている出力画像（Ｃ）のデータを受信し、表示重畳部３６及び映像重畳部２８を介してディスプレイ３ｂに送信することで、ディスプレイ３ｂは出力画像（Ｃ）を表示する。
【０１６３】
次に、電子黒板２ｂの画像取得部３１を含む画像処理部３０が、遠隔画像送信部６３に出力画像（Ｃ）のデータを送信することで、遠隔画像送信部６３を含む通信制御部６０が通信ネットワーク９を介して、主催装置である電子黒板２ａの通信制御部７０に出力画像（Ｃ）のデータを送信する（ステップＳ３１）。これにより、電子黒板２ａの遠隔画像受信部７３は、出力画像（Ｃ）のデータを受信し、遠隔画像処理部８２に出力することで、遠隔画像処理部８２が画像データ記憶部８３０に出力画像（Ｃ）のデータを記憶する。
【０１６４】
次に、主催装置である電子黒板２ａは、ディスプレイ３ａに出力画像（Ｃ）を表示する（ステップＳ３２）。具体的には、電子黒板２ａの遠隔画像処理部８２は、遠隔画像受信部７３から受信した出力画像（Ｃ）のデータを、遠隔画像送信部７４に出力する。
【０１６５】
遠隔画像送信部７４は、同じ主催装置である電子黒板２ａのクライアント部２０における遠隔画像受信部６４に、出力画像（Ｃ）のデータを出力する。遠隔画像受信部６４は、表示重畳部３６に出力画像（Ｃ）のデータを出力する。表示重畳部３６は、映像重畳部２８に出力画像（Ｃ）のデータを出力する。映像重畳部２８はディスプレイ３ａに出力画像（Ｃ）のデータを出力する。これにより、ディスプレイ３ａは、出力画像（Ｃ）を表示する。
【０１６６】
次に、主催装置としての電子黒板２ａのサーバ部９０における遠隔画像送信部７４を含む通信制御部７０は、通信ネットワーク９を介して、出力画像（Ｃ）のデータの送信元である電子黒板２ｂ以外の電子黒板２ｃの通信制御部６０に出力画像（Ｃ）のデータを送信する（ステップＳ３３）。これにより、参加装置である電子黒板２ｃの遠隔画像受信部６４は、出力画像（Ｃ）のデータを受信する。
【０１６７】
次に、電子黒板２ｃは、ディスプレイ３ｃに出力画像（Ｃ）を表示する（ステップＳ３４）。具体的には、電子黒板２ｃの遠隔画像受信部６４が、上記ステップＳ３３によって受信された出力画像（Ｃ）のデータを、電子黒板２ｃの表示重畳部３６に出力する。表示重畳部３６は、映像重畳部２８に出力画像（Ｃ）のデータを出力する。映像重畳部２８はディスプレイ３ｃに出力画像（Ｃ）のデータを出力する。これにより、ディスプレイ３ｃは、出力画像（Ｃ）を表示する。
【０１６８】
なお、出力画像（Ｃ）のデータだけでなく、ＵＩ画像（Ａ）、ストローク画像（Ｂ）及び透かし画像（Ｅ）の各画像が、映像重畳部２８に入力されている場合には、表示重畳部３６により、重畳画像（Ａ，Ｂ，Ｃ）が生成され、映像重畳部２８はディスプレイ３ｃに重畳画像（Ａ，Ｂ，Ｃ）のデータを出力する。
【０１６９】
透かし画像（Ｅ）は表示されない。また、テレビ会議端末７から映像重畳部２８に、テレビ会議用の映像（Ｆ）のデータが送られて来ている場合には、映像重畳部２８は、重畳画像（Ａ，Ｂ，Ｃ）にピクチャーインピクチャーによりテレビ会議用の映像（Ｆ）のデータを重畳して、ディスプレイ３ｃに出力する。
【０１７０】
なお、透かし画像（Ｅ）に関しては主催装置と参加装置の間で送受信されない。したがって、透かし画像（Ｅ）が表示されるかどうかは電子黒板２によって異なる。また、各電子黒板２が表示する透かし画像（Ｅ）も電子黒板２によって異なっていてよい（同じ場合もある）。
【０１７１】
また、透かし画像データは電子黒板２の間で送受信されてもよい。電子黒板２は、電子黒板２の動作に関する設定が記述された設定情報を伝達する機能を有している。設定情報とは、例えば、電子黒板２が適切に動作するための設定（同期時刻、再起動時刻など）、電子黒板２の動作を許可又は制限するための設定（パスコードなどのセキュリティに関する設定）、各機能のオン／オフの設定、ネットワークを介してインターネットや他の機器と通信するための設定（ＩＰアドレス等）、などを含む。設定情報を伝達する機能を利用して、設定情報と共に透かし画像データを電子黒板２の間で共有できる。
【０１７２】
（重畳画像の表示）
続いて、図８Ａを用いて、遠隔共有処理における重畳画像が表示される処理について説明する。
【０１７３】
先ず、電子黒板２ｂは、ユーザが電子ペン４ｂを用いて電子黒板２ｂにストローク画像（Ｂ）を描画する（ステップＳ４１）。
【０１７４】
次に、電子黒板２ｂの表示重畳部３６は、図６に示されているように、ＵＩ画像（Ａ）、及び出力画像（Ｃ）に対して、ストローク画像（Ｂ）を重畳し、映像重畳部２８が電子黒板２ｂのディスプレイ３ｂ上に、重畳された重畳画像（Ａ，Ｂ，Ｃ）を表示させる（ステップＳ４２）。具体的には、電子黒板２ｂのストローク処理部３２が座標検知部２２及び接触検知部２４からイベント振分部２５を介して、操作データとしてのストローク画像（Ｂ）のデータを受信し、表示重畳部３６に送信する。これにより、表示重畳部３６は、ＵＩ画像（Ａ）、及び出力画像（Ｃ）に対して、ストローク画像（Ｂ）を重畳することができ、映像重畳部２８が電子黒板２ｂのディスプレイ３ｂ上に重畳画像（Ａ，Ｂ，Ｃ）を表示させることができる。
【０１７５】
次に、電子黒板２ｂのストローク処理部３２を含む画像処理部３０が、遠隔操作送信部６５にストローク画像（Ｂ）のデータを送信することで、電子黒板２ｂの遠隔操作送信部６５は、通信ネットワーク９を介して、主催装置である電子黒板２ａの通信制御部７０にストローク画像（Ｂ）のデータを送信する（ステップＳ４３）。
【０１７６】
これにより、電子黒板２ａの遠隔操作受信部７５は、ストローク画像（Ｂ）のデータを受信し、遠隔操作処理部８３に出力することで、遠隔操作処理部８３が操作合成処理部８４にストローク画像（Ｂ）のデータを出力する。このようにして、電子黒板２ｂで描画されたストローク画像（Ｂ）のデータは、描画される度に、主催装置である電子黒板２ａの遠隔操作処理部８３に順次送信される。
【０１７７】
このストローク画像（Ｂ）のデータは、図７に示されているストロークデータＩＤ毎に示されるデータである。よって、例えば、上記したように、ユーザが電子ペン４によってアルファベット「Ｔ」を描く場合は二筆書きとなるため、２つのストロークデータＩＤのそれぞれで示されるストローク画像（Ｂ）のデータが順次送信される。
【０１７８】
次に、主催装置である電子黒板２ａは、ディスプレイ３ａに、電子黒板２ｂから送られて来たストローク画像（Ｂ）のデータが含まれた重畳画像（Ａ，Ｂ，Ｃ）を表示する（ステップＳ４４）。具体的には、電子黒板２ａの操作合成処理部８４は、遠隔操作処理部８３を介して順次送られて来た複数のストローク画像（Ｂ）のデータを合成して、操作データ記憶部８４０に記憶すると共に遠隔操作処理部８３に戻す。
【０１７９】
これにより、遠隔操作処理部８３は、操作合成処理部８４から受信した、合成後のストローク画像（Ｂ）のデータを、遠隔操作送信部７６に出力する。遠隔操作送信部７６は、同じ主催装置である電子黒板２ａのクライアント部２０における遠隔操作受信部６６に、合成後のストローク画像（Ｂ）のデータを出力する。
【０１８０】
遠隔操作受信部６６は、画像処理部３０における表示重畳部３６に、合成後のストローク画像（Ｂ）のデータを出力する。よって、表示重畳部３６は、ＵＩ画像（Ａ）、及び出力画像（Ｃ）に対して、合成後のストローク画像（Ｂ）を重畳する。最後に、映像重畳部２８が、表示重畳部３６によって重畳された重畳画像（Ａ，Ｂ，Ｃ）をディスプレイ３ａ上に表示させる。
【０１８１】
次に、主催装置としての電子黒板２ａのサーバ部９０における遠隔操作送信部７６を含む通信制御部７０は、通信ネットワーク９を介して、ストローク画像（Ｂ）のデータの送信元である電子黒板２ｂ以外の電子黒板２ｃの通信制御部６０に、合成後のストローク画像（Ｂ）のデータを送信する（ステップＳ４５）。これにより、参加装置である電子黒板２ｃの遠隔操作受信部６６は、合成後のストローク画像（Ｂ）のデータを受信する。
【０１８２】
次に、電子黒板２ｃは、ディスプレイ３ｃに重畳画像（Ａ，Ｂ，Ｃ）を表示する（ステップＳ４６）。具体的には、電子黒板２ｃの遠隔操作受信部６６が、上記ステップＳ４５によって受信された合成後のストローク画像（Ｂ）のデータを、電子黒板２ｃの画像処理部３０に出力する。画像処理部３０の表示重畳部３６は、ＵＩ画像（Ａ）、及び出力画像（Ｃ）の各データと、合成後のストローク画像（Ｂ）のデータを重畳し、映像重畳部２８に重畳画像（Ａ，Ｂ，Ｃ）のデータを出力する。映像重畳部２８は、ディスプレイ３ｃに重畳画像（Ａ，Ｂ，Ｃ）のデータを出力する。これにより、ディスプレイ３ｃは、重畳画像（Ａ，Ｂ，Ｃ）を表示する。
【０１８３】
なお、上記処理では、ディスプレイ３上に出力画像（Ｃ）が表示されているが、この出力画像（Ｃ）に代えて、背景画像（Ｄ）を表示してもよい。また、出力画像（Ｃ）と背景画像（Ｄ）との排他的な関係をやめて、出力画像（Ｃ）と背景画像（Ｄ）との両方を同時にディスプレイ３上に表示させてもよい。
【０１８４】
（参加の終了）
続いて、図８Ａを用いて、参加装置が遠隔共有処理への参加を終了する処理について説明する。図８Ａに示す例では、電子黒板２ｃが参加を終了する処理が示されている。
【０１８５】
まず、電子黒板２ｃでは、ユーザによるタッチパネル等の入力装置の操作によって参加の終了要求を受け付けると、遠隔参加処理部６２は、主催装置としての電子黒板２ａのサーバ部９０における通信制御部７０に、参加の終了要求を行う（ステップＳ４７）。
【０１８６】
これにより、通信制御部７０の遠隔接続要求受信部７１は、電子黒板２ｃから、参加の終了要求を受信し、遠隔接続処理部８１に、電子黒板２ｃのＩＰアドレスと共に参加の終了要求を出力する。そして、電子黒板２ａの遠隔接続処理部８１は、遠隔接続要求受信部７１から送られて来たＩＰアドレスに基づいて、参加拠点管理テーブル８２０から、参加の終了要求を行った電子黒板２ｃのＩＰアドレス及び電子黒板２ｃが設置されている拠点の名称を削除し、遠隔接続結果送信部７２に、電子黒板２ｃのＩＰアドレス及び削除した旨の通知を出力する。
【０１８７】
次に、遠隔接続結果送信部７２を含んだ通信制御部７０が、通信ネットワーク９を介して、電子黒板２ｃのクライアント部２０における通信制御部６０に、参加の終了を指示する（ステップＳ４８）。これにより、電子黒板２ｃにおける通信制御部６０の遠隔参加処理部６２が、遠隔共有処理の通信を切断することで、参加の終了処理を行うことで、参加が終了する（ステップＳ４９）。
【０１８８】
このようにして、参加装置が遠隔共有処理への参加を終了する処理を実行することができる。
【０１８９】
ここで、電子黒板２が外部機器からデータを入力し、ＵＩ画像（Ａ）を表示面３０１に表示させる処理を説明する。なお、この処理は、図７のステップＳ３０の「出力画像（Ｃ）を表示する」に含まれる処理の一部を、より詳細に説明するものである。
【０１９０】
図８Ｂは、電子黒板２が外部機器からデータを入力し、ＵＩ画像（Ａ）を表示面３０１に表示させる処理の一例を示すフローチャートである。
【０１９１】
図８Ｂに示すように、先ず、ステップＳ３０１において、電子黒板２は、ノートＰＣ６等の外部機器から有線ポート１１７ａ等のデータ入力部を介して、映像データ等のデータを入力する。
【０１９２】
続いて、ステップＳ３０２において、入力検出部３３ａは、データが入力されたデータ入力部を検出し、検出したデータ入力部の識別情報をＵＩ画像生成部３３に出力する。
【０１９３】
続いて、ステップＳ３０３において、ＵＩ画像生成部３３は、入力検出部３３ａから入力した識別情報に基づき、図３Ｂ（ａ）、又は図３Ｂ（ｂ）に示したテーブルを参照して、ＵＩ画像を構成する画像を取得する。
【０１９４】
続いて、ステップＳ３０４において、ＵＩ画像生成部３３は、取得した画像を用いて、ＵＩ画像（Ａ）を生成し、表示重畳部３６に出力する。
【０１９５】
続いて、ステップＳ３０５において、表示重畳部３６は、入力したＵＩ画像（Ａ）を含む重畳画像を生成し、映像重畳部２８に出力する。
【０１９６】
続いて、ステップＳ３０６において、映像重畳部２８はＵＩ画像（Ａ）を含む重畳画像を表示面３０１に表示させる。
【０１９７】
このようにして、電子黒板２は、外部機器から入力したデータに応じて生成したＵＩ画像（Ａ）を表示面３０１に表示させることができる。
【０１９８】
＜重畳画像の例＞
次に、実施形態に係る重畳画像について、図９〜１０を参照して説明する。
【０１９９】
図９は、電子黒板の右側に外部機器が接続された場合の重畳画像の一例を説明する図である。図９において、ノートＰＣ６は、電子黒板２の右側に設けられた有線ポート１１７ａにケーブルを介して接続されている。
【０２００】
ディスプレイ３の表示面３０１には、出力画像（Ｃ）とＵＩ画像（Ａ）が重畳された画像が表示されている。具体的には、ディスプレイ３の表示面３０１の中央には出力画像（Ｃ）が表示され、ディスプレイ３の表示面３０１の右側には、ＵＩ画像（Ａ）に含まれるカメラＵＩ６２１と、映像ＵＩ６２２とが表示されている。
【０２０１】
より詳しくは、電子黒板２において、入力検出部３３ａは、有線ポート１１７ａにノートＰＣ６が接続されたことを検出して、有線ポート１１７ａの識別情報をＵＩ画像生成部３３に出力する。ＵＩ画像生成部３３は入力した識別情報に応じて、カメラＵＩ６２１と映像ＵＩ６２２を右側に配置したＵＩ画像（Ａ）を生成し、表示重畳部３６に出力する。表示重畳部３６は入力したＵＩ画像（Ａ）を含む重畳画像を生成し、映像重畳部２８は、ＵＩ画像（Ａ）を含む重畳画像を表示面３０１に表示させる。これにより、表示面３０１の右側には、カメラＵＩ６２１と、映像ＵＩ６２２とが表示されている。ここで、カメラＵＩ６２１及び映像ＵＩ６２２は、それぞれ「指示受付部」の一例である。
【０２０２】
ここで、カメラＵＩ６２１は、出力画像（Ｃ）を静止画として電子黒板２に保存するためのＵＩである。ユーザが表示面３０１上のカメラＵＩ６２１に対してＵＩ操作を行うと、表示面３０１に表示されている出力画像（Ｃ）が、電子黒板２の備えるＳＳＤ１０４等の保存部に静止画として保存される。ここで、出力画像（Ｃ）は「画面データ」の一例である。
【０２０３】
また、映像ＵＩ６２２は、ノートＰＣ６の映像を電子黒板２に入力するためのＵＩである。ユーザが表示面３０１上のカメラＵＩ６２１に対してＵＩ操作を行うと、ノートＰＣ６のディスプレイに表示されている映像が電子黒板２に入力され、表示面３０１に表示される。
【０２０４】
図９では、電子黒板２の右側の有線ポート１１７ａにノートＰＣ６が接続された例を示したが、これに限定されるものではない。電子黒板２の左側の有線ポートにノートＰＣ６が接続された場合には、入力検出部３３ａによりノートＰＣ６の接続が検出された有線ポートの識別情報に基づいて、ＵＩ画像生成部３３は、カメラＵＩ６２１と映像ＵＩ６２２を左側に配置したＵＩ画像を生成し、映像重畳部２８は、このＵＩ画像を含む重畳画像を表示面３０１に表示させる。これにより、表示面３０１の左側に、カメラＵＩ６２１と、映像ＵＩ６２２とが表示される。
【０２０５】
また、電子黒板２の左側の有線ポートにノートＰＣ６が接続され、右側の有線ポートにノートＰＣ６が接続された場合には、入力検出部３３ａによりノートＰＣ６の接続が検出された有線ポートの識別情報に基づいて、ＵＩ画像生成部３３は、カメラＵＩ６２１と映像ＵＩ６２２を左右の両側にそれぞれ配置したＵＩ画像を生成し、映像重畳部２８は、このＵＩ画像を、表示面３０１に表示させる。これにより、表示面３０１の左右の両側に、カメラＵＩ６２１と、映像ＵＩ６２２とがそれぞれ表示される。
【０２０６】
さらに、電子黒板２の複数のデータ入力部に外部機器が接続された場合であって、識別情報に優先順位が定められている場合には、入力検出部３３ａにより検出されたデータ入力部のうち、最も優先順位の高いデータ入力部の識別情報に基づいて、ＵＩ画像生成部３３は、最も優先順位の高いデータ入力部が接続された側に、カメラＵＩ６２１と映像ＵＩ６２２を配置したＵＩ画像を生成し、映像重畳部２８は、このＵＩ画像を含む重畳画像を表示面３０１に表示させる。これにより、表示面３０１の、最も優先順位の高いデータ入力部が接続された側に、カメラＵＩ６２１と、映像ＵＩ６２２とが表示される。
【０２０７】
図９では、ＵＩ画像に含まれるＵＩとして、カメラＵＩ６２１と映像ＵＩ６２２の例を示したが、これに限定されるものではない。電子ペン４により描画される線の色や幅等を設定するためのＵＩ等がＵＩ画像に含まれても良い。
【０２０８】
図１０は、出力画像が静止画として電子黒板に保存された場合の重畳画像の一例を説明する図である。ユーザが表示面３０１上のカメラＵＩ６２１に対してＵＩ操作を行うと、電子黒板２の保存部に出力画像（Ｃ）が静止画として保存される。表示面３０１の左下側には、保存された画像のサムネイル６２３が表示されている。
【０２０９】
［第１の実施形態］
次に、第１の実施形態に係る電子黒板２Ａの動作を、図１１〜１２を参照して説明する。図１１は、本実施形態に係る電子黒板の動作の一例を説明する図（その１）である。図１１は、電子黒板に映像出力機器が無線方式で接続された場合の重畳画像の一例を示している。
【０２１０】
図１１に示すように、電子黒板２Ａは、鉛直方向に長い縦長のディスプレイ３Ａを備えている。電子黒板２Ａの水平方向における右側にはアンテナ１１９ａが設けられ、電子黒板２Ａの左側にはアンテナ１１９ｂが設けられている（図示を省略）。アンテナ１１９ａは「一方のデータ入力部」の一例、アンテナ１１９ｂは「他方のデータ入力部」の一例、アンテナ１１９ａ及び１１９ｂは「両方のデータ入力部」の一例であり、何れも無線方式でデータを入力する。
【０２１１】
ユーザ１００ａはスマートフォン１１０ａを把持し、ユーザ１００ｂはスマートフォン１１０ｂを把持している。スマートフォン１１０ａ及び１１０ｂは、それぞれ映像を外部に向けて出力することができ、また、上述したように、電子黒板２Ａに対して画像ファイル等のファイルを出力することもできる。
【０２１２】
ユーザ１００ａの把持するスマートフォン１１０ａは、アンテナ１１９ａを介して電子黒板２Ａに接続される。また、ユーザ１００ｂの把持するスマートフォン１１０ｂは、アンテナ１１９ｂを介して電子黒板２Ａに接続される。
【０２１３】
入力検出部３３ａは、電子黒板２Ａの右側に、アンテナ１１９ａを介して外部機器が接続されたことを検出し、また、電子黒板２Ａの左側に、アンテナ１１９ｂを介して外部機器が接続されたことを検出する。入力検出部３３ａは、アンテナ１１９ａ及び１１９ｂの識別情報をＵＩ画像生成部３３Ａに出力する。ＵＩ画像生成部３３Ａは、入力した識別情報に基づいて、カメラＵＩ６２１ａと映像ＵＩ６２２ａが右側に配置され、カメラＵＩ６２１ｂと映像ＵＩ６２２ｂが左側に配置されたＵＩ画像（Ａ）を生成する。
【０２１４】
また、映像取得部２１Ａは、アンテナ１１９ａを介してスマートフォン１１０ａの出力画像（Ｃ）を取得する。或いは、映像取得部２１Ａは、アンテナ１１９ｂを介してスマートフォン１１０ｂの出力画像（Ｃ）を取得しても良い。
【０２１５】
表示重畳部３６Ａは、ＵＩ画像（Ａ）と出力画像（Ｃ）を重ね合わせた重畳画像を映像重畳部２８Ａに出力する。映像重畳部２８Ａは、入力した重畳画像をディスプレイ３Ａに表示することができる。
【０２１６】
なお、図１１では、一方のデータ入力部と他方のデータ入力部が何れも無線方式でデータを入力する例を示したが、何れも有線方式でデータを入力するようにしても良い。
【０２１７】
次に、図１２は、本実施形態に係る電子黒板の動作の一例を説明する図（その２）である。図１２は、電子黒板の一方の側に映像出力機器が有線方式で接続され、他方の側に無線方式で接続された場合の重畳画像の一例を示している。
【０２１８】
電子黒板２Ａの右側には有線ポート１１７ａが設けられ、電子黒板２Ａの左側にはアンテナ１１９ｂが設けられている（図示を省略）。有線ポート１１７ａは「一方のデータ入力部」の一例であり、有線方式でデータを入力する。アンテナ１１９ｂは「他方のデータ入力部」の一例であり、無線方式でデータを入力する。
【０２１９】
図１２に示すように、ノートＰＣ６は、ディスプレイ３Ａの右側にケーブルを介して接続されている。また、ユーザ１００ｂに把持されたスマートフォン１１０ｂが、アンテナ１１９ｂを介して電子黒板２Ａの左側に接続されている。
【０２２０】
入力検出部３３ａは、電子黒板２Ａの右側に、有線ポート１１７ａを介して外部機器が接続されたことを検出し、また、電子黒板２Ａの左側に、アンテナ１１９ｂを介して外部機器が接続されたことを検出する。入力検出部３３ａは、有線ポート１１７ａ及びアンテナ１１９ｂの識別情報をＵＩ画像生成部３３Ａに出力する。
【０２２１】
ＵＩ画像生成部３３Ａは、入力した識別情報に基づいて、カメラＵＩ６２１ａと映像ＵＩ６２２ａが右側に配置され、カメラＵＩ６２１ｂと映像ＵＩ６２２ｂが左側に配置されたＵＩ画像（Ａ）を生成する。
【０２２２】
また、映像取得部２１Ａは、有線ポート１１７ａを介してノートＰＣ６の出力画像（Ｃ）を取得する。或いは、映像取得部２１Ａは、アンテナ１１９ｂを介してスマートフォン１１０ｂの出力画像（Ｃ）を取得しても良い。
【０２２３】
表示重畳部３６Ａは、ＵＩ画像（Ａ）と出力画像（Ｃ）を重ね合わせた重畳画像を映像重畳部２８Ａに出力する。映像重畳部２８Ａは、入力した重畳画像を表示面３０１Ａに表示させることができる。
【０２２４】
＜効果＞
電子黒板を利用するユーザは、電子黒板に表示された画像を遮らないために、一般に、電子黒板の一方の側に立ってプレゼンテーション等を行う。また、ユーザはプレゼンテーションを行っている最中に、映像出力機器からの映像の入力や、電子ペン４により描画される線の色や幅等の設定等のＵＩ操作を行いたい場合がある。
【０２２５】
従来の電子黒板では、各ＵＩが、ユーザの立つ位置によらず、電子黒板の一方の側、例えば右側に表示された。そのため、電子黒板の左側に立ってプレゼンテーション等を行うユーザは、ＵＩ操作を行おうとすると、電子黒板の表示面を跨ぐように手を伸ばしたり、ＵＩの表示された位置まで移動したりする必要があり、ＵＩ操作をしにくくなる場合があった。
【０２２６】
ＵＩの表示位置をユーザ設定で変更できる電子黒板も知られているが、ユーザに設定変更作業の手間をかけさせる場合があり、また、ユーザによっては、ＵＩの表示位置設定の変更方法が分からない場合もあった。
【０２２７】
本実施形態に係る電子黒板２Ａは、ユーザが電子黒板２Ａの右側に立つと、ユーザの立つ右側から電子黒板２Ａにデータが入力される。電子黒板２Ａは、データが入力された表示面３０１Ａの右側にカメラＵＩ６２１ａ、映像ＵＩ６２２ａ等のＵＩを表示する。また、ユーザが電子黒板２Ａの左側に立つと、ユーザの立つ左側から電子黒板２Ａにデータが入力される。電子黒板２Ａは、データが入力された表示面３０１Ａの左側にＵＩを表示する。
【０２２８】
これにより、ユーザは、自分に近い位置に表示されたＵＩに対してＵＩ操作を行うことができる。本実施形態により、電子黒板の表示面を跨ぐように手を伸ばしたり、ＵＩの表示された位置まで移動したりする必要のない、ユーザがＵＩ操作（指示）しやすい電子黒板２Ａ等の表示装置を提供することができる。
【０２２９】
なお、本実施形態では、データ入力部が表示面３０１Ａの左側や右側に設けられた例を説明したが、データ入力部が下側や上側にある構成にしても良い。この場合、例えば、下側のデータ入力部からデータが入力された場合は、ＵＩは表示面３０１Ａの下部中央に表示され、上側のデータ入力部からデータが入力された場合は、表示面３０１Ａの上部中央にＵＩが表示される。
【０２３０】
［第２の実施形態］
次に、第２の実施形態に係る電子黒板２Ｂについて説明する。なお、既に説明した実施形態と同一の構成部についての説明は省略する。
【０２３１】
本実施形態に係る電子黒板２Ｂは、ＵＩの表示と非表示を切り替えるためのＵＩを備えるものである。
【０２３２】
図１３は、本実施形態に係る電子黒板の動作の一例を説明する図であり、（ａ）はＵＩを表示した場合の電子黒板を示す図、（ｂ）はＵＩを非表示にした場合の電子黒板を示す図である。
【０２３３】
表示面３０１Ｂには、切替ＵＩ６３０が表示されている。「切替指示受付部」の一例としての切替ＵＩ６３０は、表示面３０１Ｂの左側に存在するＵＩの表示と非表示を切り替えるためのＵＩである。
【０２３４】
図１３（ａ）において、スマートフォン１１０ｂを把持するユーザ１００ｂが、電子黒板２Ｂの左側に立つことで、スマートフォン１１０ｂが、アンテナ１１９ｂを介して電子黒板２Ｂに接続されている。
【０２３５】
映像重畳部２８は、カメラＵＩ６２１ｂと映像ＵＩ６２２ｂが左側に配置されたＵＩ画像（Ａ）を含む重畳画像を、表示面３０１Ａに表示させている。このＵＩ画像（Ａ）は、入力検出部３３ａにより接続が検出されたデータ入力部の識別情報に基づいて、ＵＩ画像生成部３３Ａが生成したものである。
【０２３６】
表示面３０１Ｂの左側に、カメラＵＩ６２１ｂと映像ＵＩ６２２ｂとが表示されている。この状態で、ユーザが切替ＵＩ６３０に対してＵＩ操作を行うと、カメラＵＩ６２１ｂと映像ＵＩ６２２ｂとが非表示に切り替えられる。カメラＵＩ６２１ｂ、映像ＵＩ６２２ｂ、及び切替ＵＩ６３０のそれぞれは、「複数のＵＩ」の一例である。
【０２３７】
その結果、表示面３０１Ｂでは、図１３（ｂ）に示すように、カメラＵＩ６２１ｂと、映像ＵＩ６２２ｂがそれぞれ非表示の状態になる。表示面３０１Ｂに多くのＵＩが表示されていると、電子ペン４や手Ｈ等で描画された線図や、表示面３０１Ｂに表示された出力画像が見にくくなる場合がある。このように、表示面３０１Ｂ上でＵＩを非表示にすることで、ＵＩの表示に伴う線図や画像の見にくさを解消することができる。
【０２３８】
図１３（ｂ）の状態で、ユーザが切替ＵＩ６３０に対してＵＩ操作を行うと、カメラＵＩ６２１ｂ及び映像ＵＩ６２２ｂが表示される。つまり、図１３（ａ）の状態に戻すことができる。
【０２３９】
図１３（ｂ）の状態では、カメラＵＩ６２１ｂと、映像ＵＩ６２２ｂは非表示であるため、ユーザはこれらに対してＵＩ操作を行うことはできないが、図１３（ａ）の状態に戻すことで、再びカメラＵＩ６２１ｂ等に対するＵＩ操作が可能となる。
【０２４０】
以上説明したように、本実施形態に係る電子黒板２Ｂは切替ＵＩ６３０を備え、表示面３０１Ｂ上のＵＩの表示と非表示を切り替えことができる。これにより、ＵＩの表示に伴う線図や画像の見にくさを解消することができ、電子黒板２Ｂを用いたコミュニケーションをより円滑に行うことが可能となる。
【０２４１】
なお、上述した以外の効果は、第１の実施形態で説明したものと同様である。
【０２４２】
＜その他の適用例＞
以上、本発明を実施するための最良の形態について実施例を用いて説明したが、本発明はこうした実施例に何等限定されるものではなく、本発明の要旨を逸脱しない範囲内において種々の変形及び置換を加えることができる。
【０２４３】
また、本実施形態では、電子黒板２に有線方式でノートＰＣ６が接続された場合を説明したが、電子黒板２に無線方式でノートＰＣ６が接続され、ノートＰＣ６からの映像が電子黒板２に入力されるようにしても良い。この場合、映像の入力の有無は無線ＬＡＮなどの通信装置が映像を受信したか否かにより判断される。
【０２４４】
更に、ノートＰＣ６と電子黒板２が１対１で接続又は通信する場合だけでなく、ネットワーク（有線又は無線）で通信する場合も本実施形態を適用できる。
【０２４５】
また、図３Ａ等の構成例は、電子黒板２による処理の理解を容易にするために、主な機能に応じて分割したものである。処理単位の分割の仕方や名称によって本願発明が制限されることはない。電子黒板２の処理は、処理内容に応じて更に多くの処理単位に分割することもできる。また、１つの処理単位が更に多くの処理を含むように分割することもできる。
【０２４６】
なお、上記した実施形態に係る表示装置は、１以上のプログラムを記憶したデバイスメモリと、１以上のプロセッサによって実現されてもよい。１以上のプロセッサは、１以上のプログラムを実行することで、実施形態において記載された処理を実行する。例えば、デバイスメモリと１以上のプロセッサは、実施形態に記載されたような機能を実現（実装）することができる。例えば、デバイスメモリと１以上のプロセッサは、実施形態において記載されたようなハードウェア要素によって実現（実装）されてもよい。また、表示装置などのコンピュータに処理を実行させるための１以上のプログラムは、不揮発性の記録媒体に記憶されていてもよい。
【０２４７】
上記で説明した実施形態の各機能は、一又は複数の処理回路によって実現することが可能である。ここで、本明細書における「処理回路」とは、電子回路により実装されるプロセッサのようにソフトウェアによって各機能を実行するようプログラミングされたプロセッサや、上記で説明した各機能を実行するよう設計されたASIC（Application Specific Integrated Circuit）、DSP（digital signal processor）、FPGA（field programmable gate array）や従来の回路モジュール等のデバイスを含むものとする。
【０２４８】
以上、本発明を実施例に基づいて説明したが、本発明は上記実施例に限定されるものではなく、特許請求の範囲に記載の範囲内で様々な変形が可能である。
【０２４９】
また、実施形態は、表示方法を含む。例えば、表示方法は、表示面と、複数のデータ入力部と、を備えた表示装置による表示方法であって、前記複数のデータ入力部のうち、データが入力された前記データ入力部を検出する入力検出工程と、前記入力検出工程の検出結果に応じた位置に、ユーザの指示を受け付ける指示受付部を配置した指示受付画像を生成する指示受付画像生成工程と、前記指示受付画像を表示する画像表示工程と、を含む。このような表示方法により、上述した表示装置と同様の効果を得ることができる。
【符号の説明】
【０２５０】
２、２Ａ、２Ｂ              電子黒板（表示装置の一例）
３、３Ａ、３Ｂ              ディスプレイ
５                          ＵＳＢメモリ（外部機器の一例）
６                          ノートＰＣ（外部機器の一例）
３０１、３０１Ａ、３０１Ｂ  表示面
４                          電子ペン（指示体の一例）
２８、２８Ａ                映像重畳部
２９                        表示部（画像表示部の一例）
３０                        画像処理部
３１                        画像取得部
３３、３３Ａ                ＵＩ画像生成部（指示受付画像生成部の一例）
３３ａ                      入力検出部
３６、３６Ａ                表示重畳部
５１                        ＵＳＢポート（データ入力部の一例）
１００ａ、１００ｂ          ユーザ
１１０ａ、１１０ｂ          スマートフォン（外部機器の一例）
１１７ａ、１１７ｂ          有線ポート（データ入力部の一例）
１１９、１１９ａ、１１９ｂ  アンテナ（データ入力部の一例）
６２１、６２１ａ、６２１ｂ  カメラＵＩ（指示受付部の一例）
６２２、６２２ａ、６２２ｂ  映像ＵＩ（指示受付部の一例）
６３０ａ、６３０ｂ          切替ＵＩ（切替指示受付部の一例）
（Ａ）                      ＵＩ画像（指示受付画像の一例）
（Ｃ）                      出力画像
Ｈ                          ユーザの手（指示体の一例）
【先行技術文献】
【特許文献】
【０２５１】
【特許文献１】特開２０１３-３９７０１号公報
【図１】
2020154660.tif 000009
【図２】
2020154660.tif 000010
【図３Ａ】
2020154660.tif 000011
【図３Ｂ】
2020154660.tif 000012
【図４】
2020154660.tif 000013
【図５】
2020154660.tif 000014
【図６】
2020154660.tif 000015
【図７】
2020154660.tif 000016
【図８Ａ】
2020154660.tif 000017
【図８Ｂ】
2020154660.tif 000018
【図９】
2020154660.tif 000019
【図１０】
2020154660.tif 000020
【図１１】
2020154660.tif 000021
【図１２】
2020154660.tif 000022
【図１３】
2020154660.tif 000023